(57)【要約】      （修正有）【課題】アッド/ドロップ機器を各ネットワークエレメントに用いることによって、信号全体をその構成チャネルに逆多重化してスイッチングを行う方法を提供する。【解決手段】第１及び第２光ファイバリングを用いて結合される複数のパッシブアッド/ドロップノードを備える光ネットワークのアップグレードを運用中に行う場合、第１光ファイバリング上を第１の方向に進む光トラフィックを第１と第２パッシブアッド/ドロップノードとの間の第１断続位置で断続させる工程と、更に、第２光リング上を異なる方向に進むトラフィックを第１及び第２アッド/ドロップノードとの間の第２段続位置で断続させる工程を含む。ネットワークは保護スイッチングを、第１又は第２の断続位置でトラフィックフローを断続させることが、トラフィックが何れかのアッド/ドロップノードに到達することを妨げるものでないように備え。【選択図】図２
2005229610.tif 000002
【特許請求の範囲】
【請求項１】
第１光ファイバ・リングと第２光ファイバ・リングとを用いて結合される複数のパッシブ・アッド/ドロップ・ノードを備えるツイン・リング光ネットワークを運用中にアップグレードする方法であって：
第１方向に該第１光ファイバ・リング上を進む光トラフィックを、第１パッシブ・アッド/ドロップ・ノードと第２パッシブ・アッド/ドロップ・ノードとの間の第１断続位置で、断続させる工程；
を備え；
前記複数のアッド/ドロップ・ノードは該第１と第２の光ファイバ・リングに結合されて、該光ファイバ・リングとの間でのトラフィックのアッドとドロップとを受動的に行い；
更に、第２の本質的に異なる方向に該第２光ファイバ・リング上を進む光トラフィックを、該第１アッド/ドロップ・ノードと該第２アッド/ドロップ・ノードとの間の第２断続位置で、断続させる工程；
を備え；
該第１断続位置と該第２断続位置はお互いに近接し；
該ネットワークは保護スイッチングを、トラフィック・フローを該第１断続位置又は該第２断続位置で断続させることが、該リング光ネットワーク上のトラフィックが何れかのアッド/ドロップ・ノードに到達することを妨げるものでないように、備え；
更に、光ゲートウェイ・ノードを該ネットワークに挿入する工程；
を備え；
該ゲートウェイ・ノードは：
該第１光ファイバ・リングと関連した第１トランスポート・エレメント；及び
該第２光ファイバ・リングと関連した第２トランスポート・エレメント；
を備え；
該第１と第２のトランスポート・エレメントの各々は：
入口トラフィックを複数の構成波長に逆多重化するよう動作可能な逆多重化装置；
該複数構成波長の各々を選択的に転送するか終端するよう動作可能なスイッチ；及び
該転送波長を多重化するよう動作可能な多重化装置；
を備え；
該ゲートウェイ・ノードは該リング光ネットワークに、該第１トランスポート・エレメントが該第１断続位置で挿入され、該第２トランスポート・エレメントが該第２断続位置で挿入されることを特徴とする方法。
【請求項２】
第１光ファイバ・リングと第２光ファイバ・リングとを用いて結合される複数のパッシブ・アッド/ドロップ・ノードを備えるツイン・リング光ネットワークを運用中にアップグレードする方法であって：
第１方向に該第１光ファイバ・リング上を進む光トラフィックを、第１パッシブ・アッド/ドロップ・ノードと第２パッシブ・アッド/ドロップ・ノードとの間の第１断続位置で、断続させる工程；
を備え；
前記複数のアッド/ドロップ・ノードは該第１と第２の光ファイバ・リングに結合されて、該光ファイバ・リングとの間でのトラフィックのアッドとドロップとを受動的に行い；
更に、第２の本質的に異なる方向に該第２光ファイバ・リング上を進む光トラフィックを、該第１アッド/ドロップ・ノードと該第２アッド/ドロップ・ノードとの間の第２断続位置で、断続させる工程；
を備え；
該第１断続位置と該第２断続位置はお互いに近接し；
該リング光ネットワークは保護スイッチングを、トラフィック・フローを該第１断続位置又は該第２断続位置で断続させることが、該リング光ネットワーク上のトラフィックが何れかのアッド/ドロップ・ノードに到達することを妨げるものでないように、備え；
更に、光ゲートウェイ・ノードを該リング光ネットワークに挿入する工程；
を備え；
該ゲートウェイ・ノードは：
該第１光ファイバ・リングと関連した第１トランスポート・エレメント；
該第２光ファイバ・リングと関連した第２トランスポート・エレメント；
該光リング上の入口トラフィックを受信し、該入口トラフィックの第１と第２のコピーを転送するよう動作可能な第１光カプラ；及び
該入口トラフィックの該第１コピーを該第１光カプラから受信するよう動作可能な多重化/逆多重化装置；
を備え；
該多重化/逆多重化装置は：
該入口トラフィックの該第１コピーを複数の構成波長に逆多重化するよう動作可能な逆多重化装置；
該複数構成波長の各々を選択的に転送するか終端するよう動作可能なスイッチ；及び
該転送波長を多重化するよう動作可能な多重化装置；
を備え；
該ゲートウェイ・ノードは更に：
該入口トラフィックの該第２コピーを該第１光カプラから受信し、信号を該入口トラフィックの1つ又は複数の構成波長において選択的に再生するよう動作可能な信号再生エレメント；及び
第２光カプラ；
を備え；
該第２光カプラは：
該再生信号を1つ又は複数の波長で受信する工程；
該多重化転送波長を該多重化装置から受信する工程；及び
該多重化転送波長を、該信号再生エレメントから受信される該再生波長と合成して、該合成信号が該光リング上で転送されるようにする工程；
を行い；
該ゲートウェイ・ノードは該リング光ネットワークに、該第１トランスポート・エレメントが該第１断続位置で挿入され、該第２トランスポート・エレメントが該第２断続位置で挿入されることを特徴とする方法。
【請求項３】
第１光ファイバ・リングと第２光ファイバ・リングとを用いて結合される複数のパッシブ・アッド/ドロップ・ノードを備えるツイン・リング光ネットワークを運用中にアップグレードする方法であって：
該第１光ファイバ・リング上のトラフィック・フローを、第１パッシブ・アッド/ドロップ・ノードと第２パッシブ・アッド/ドロップ・ノードとの間の第１断続位置で、断続させる工程；
を備え；
前記複数のアッド/ドロップ・ノードは該第１と第２の光ファイバ・リングに結合されて、該光ファイバ・リングとの間でのトラフィックのアッドとドロップとを受動的に行い；
更に、該第２光ファイバ・リング上のトラフィック・フローを、該第１アッド/ドロップ・ノードと該第２アッド/ドロップ・ノードとの間の第２断続位置で、断続させる工程；
を備え；
該第１断続位置と該第２断続位置はお互いに近接し；
該リング光ネットワークは保護スイッチングを、トラフィック・フローを該第１断続位置又は該第２断続位置で断続させることが、該リング光ネットワーク上のトラフィックが何れかのアッド/ドロップ・ノードに到達することを妨げるものでないように、備え；
更に、光ゲートウェイ・ノードを該リング光ネットワークに挿入する工程；
を備え；
該ゲートウェイ・ノードは：
該第１光ファイバ・リングと関連した第１トランスポート・エレメント；及び
該第２光ファイバ・リングと関連した第２トランスポート・エレメント；
を備え；
該ゲートウェイは該リング光ネットワークに、該第１トランスポート・エレメントが該第１断続位置で挿入され、該第２トランスポート・エレメントが該第２断続位置で挿入されることを特徴とする方法。
【発明の詳細な説明】
【技術分野】
【０００１】
本発明は、一般的に、光トランスポート・システムに関し、特に、アップグレードされた、柔軟なオープン・リング光ネットワーク及び方法に関する。
【背景技術】
【０００２】
通信システム、ケーブル・テレビジョン・システム及びデータ通信ネットワークは光ネットワークを用いて大量の情報を遠隔拠点間で高速で伝達する。光ネットワークにおいては、情報は光信号の形式で光ファイバを通じて伝達される。光ファイバは、該信号を長距離にわたって非常に低損失で伝送することができる細いガラス紐を備える。
【発明の開示】
【発明が解決しようとする課題】
【０００３】
光ネットワークは多くの場合、波長分割多重（WDM）又は高密度波長分割多重（DWDM）を利用して伝送容量を増大させている。WDMとDWDMのネットワークでは、いくつかの光チャネルが各ファイバにおいて本質的に異なる波長で搬送される。ネットワーク容量は、各ファイバと帯域幅における、波長若しくはチャネルの数、又はそれらのチャネルの容量、に基づくものである。通常、アレイ型導波路格子（AWG）、インターリーバ、及び/又はファイバ・グレーティング（FG）を用いてトラフィックのアッド及び/又はドロップを多重化と逆多重化とのネットワーク・アッド/ドロップ・ノード（ADN）で行う。
【０００４】
WDMとDWDMとのネットワークが構築されるトポロジはそのようなネットワークが活用される程度を判定するうえで重要な役割を果たす。リング型トポロジは今日のネットワークにおいては一般的なものである。WDMアッド/ドロップ装置はそのような光リングの周囲にあるネットワーク・エレメントとしての役目を担う。WDMアッド/ドロップ機器を各ネットワーク・エレメントに用いることによって、コンポジット信号全体を完全にその構成チャネルに逆多重化してスイッチングを行う（アッド/ドロップを行うか通過させる）ことが可能である。
【課題を解決するための手段】
【０００５】
一実施例では、第１の光ファイバ・リングと第２の光ファイバ・リングとを用いて結合される複数のパッシブ・アッド/ドロップ・ノードを含むツイン・リング型光ネットワークの運用中のアップグレードを行う方法を備える。該方法は、第１光ファイバ・リング上の第１方向に進む光トラフィックを第１パッシブ・アッド/ドロップ・ノードと第２パッシブ・アッド/ドロップ・ノードとの間の第１断続位置で断続させる工程を含む。アッド/ドロップ・ノードは上記光リングに結合され、該光リングとの間でトラフィックのアッドとドロップを受動的に行うよう動作し得る。該方法は更に、第２光ファイバ・リング上を第２の本質的に異なる方向に進む光トラフィックを第１パッシブ・アッド/ドロップ・ノードと第２パッシブ・アッド/ドロップ・ノードとの間の第２断続位置で断続させる工程を含む。第１と第２の断続位置はお互いに近接している。上記ネットワークは、第１又は第２の断続位置でトラフィック・フローを断続させることが、上記ネットワーク上のトラフィックが何れかのアッド/ドロップ・ノードに到達することを妨げるものでないような保護スイッチングを備える。
【０００６】
該方法は更に、光ゲートウェイ・ノードを上記ネットワークに挿入する工程を含む。該ゲートウェイ・ノードは、第１ファイバ・リングと関連した第１トランスポート・エレメントと、第２ファイバ・リングと関連した第２トランスポート・エレメントとを含む。各トランスポート・エレメントは、入口トラフィックを複数の構成波長に逆多重化させるよう動作し得る逆多重化装置、選択的に各波長を転送するか終結させるよう動作し得るスイッチ、及び該転送波長を多重化するよう動作し得る多重化装置を含む。ゲートウェイ・ノードは、光リング・ネットワークに、第１トランスポート・エレメントが第１断続位置で挿入され、第２トランスポート・エレメントが第２断続位置で挿入されるように、光リング・ネットワークに挿入される。
【０００７】
別の実施例では、第１の光ファイバ・リングと第２の光ファイバ・リングとを用いて結合される複数のパッシブ・アッド/ドロップ・ノードを備えるツイン・リング型光ネットワークの運用中のアップグレードを行う方法を備える。該方法は、第１光ファイバ・リング上を第１方向に進む光トラフィックを第１パッシブ・アッド/ドロップ・ノードと第２パッシブ・アッド/ドロップ・ノードとの間の第１断続位置で断続させる工程を含む。アッド/ドロップ・ノードは上記光リングに結合され、該光リングとの間でトラフィックのアッドとドロップとを受動的に行うよう動作し得る。該方法は更に、第２光ファイバ・リング上を第２の本質的に異なる方向に進む光トラフィックを第１パッシブ・アッド/ドロップ・ノードと第２パッシブ・アッド/ドロップ・ノードとの間の第２断続位置で断続させる工程を含む。第１と第２の断続位置はお互いに近接している。上記ネットワークは、第１又は第２の断続位置でトラフィック・フローを断続させることは、上記ネットワーク上のトラフィックが何れかのアッド/ドロップ・ノードに到達することを妨げるものでないような保護スイッチングを備える。該方法は更に、光ゲートウェイ・ノードを上記ネットワークに挿入する工程を含む。該ゲートウェイ・ノードは、第１ファイバ・リングと関連した第１トランスポート・エレメントと、第２ファイバ・リングと関連した第２トランスポート・エレメント、上記光リング上で入口トラフィックを受信し、該入口トラフィックの第１と第２のコピーを転送するよう動作し得る第１光カプラ、及び該入口トラフィックの第１のコピーを第１光カプラから受信するよう動作し得る多重化/逆多重化装置を含む。多重化/逆多重化装置は、該入口トラフィックの第１コピーを複数構成波長に逆多重化するよう動作し得る逆多重化装置、各波長の転送又は終結を選択的に行うよう動作し得るスイッチ、及び該転送波長を多重化するよう動作し得る多重化装置を含む。
【０００８】
ゲートウェイ・ノードは更に、入口トラフィックの第２コピーを第１光カプラから受信し、入口トラフィックと第２光カプラとのうちの1つ又は複数の構成波長における信号を選択的に再生するよう動作し得る信号再生エレメントを含む。第２光カプラは1つ又は複数の波長における再生信号を受信し、多重化転送波長を多重化装置から受信し、多重化転送波長と、信号再生エレメントから受信される再生波長とを、合成信号が光リング上で転送されるように、合成するよう動作し得る。ゲートウェイ・ノードは、光リング・ネットワークに、第１トランスポート・エレメントが第１断続位置で挿入され、第２トランスポート・エレメントが第２断続位置で挿入されるように、挿入される。
【０００９】
更に別の実施例では、第１の光ファイバ・リングと第２の光ファイバ・リングとを用いて結合される複数のパッシブ・アッド/ドロップ・ノードを備えるツイン・リング型光ネットワークの運用中のアップグレードを行う方法を備える。該方法は、第１光ファイバ・リング上のトラフィック・フローを第１パッシブ・アッド/ドロップ・ノードと第２パッシブ・アッド/ドロップ・ノードとの間の第１断続位置で断続させる工程を含む。アッド/ドロップ・ノードは上記光リングに結合され、該光リングとの間でトラフィックのアッドとドロップとを受動的に行うよう動作し得る。該方法は更に、第２光ファイバ・リング上のトラフィック・フローを第１アッド/ドロップ・ノードと第２アッド/ドロップ・ノードとの間の第２断続位置で断続させる工程を含む。第１と第２の断続位置はお互いに近接している。上記ネットワークは、第１又は第２の断続位置でトラフィック・フローを断続させることが、上記ネットワーク上のトラフィックが何れかのアッド/ドロップ・ノードに到達することを妨げるものでないような保護スイッチングを備える。該方法は更に、光ゲートウェイ・ノードを上記ネットワークに挿入する工程を含む。該ゲートウェイ・ノードは、第１ファイバ・リングと関連した第１トランスポート・エレメントと、第２ファイバ・リングと関連した第２トランスポート・エレメントを含む。該ゲートウェイは、光リング・ネットワークに、第１トランスポート・エレメントが第１断続位置で挿入され、第２トランスポート・エレメントが第２断続位置で挿入されるように、挿入される。
【発明を実施するための最良の形態】
【００１０】
本発明の技術上の効果としては、ツイン・リング型光ネットワークのアップグレードを行う方法を備えることが含まれ、該方法では、該ネットワークは、該アップグレードを行う手順の間にトラフィック・フローを断続させることが、該ネットワーク上のトラフィックが該ネットワークにおける何れかのアッド/ドロップ・ノードに到達することを妨げるものでないような保護スイッチングを備える。このことは、「運用中の」アップグレードとして表す。
【００１１】
本発明の別の技術上の効果としては、ツイン・リング型光ネットワークの運用中のアップグレードを行う方法を備えることが含まれ、該方法では、低コストのネットワークを当初、調達することを、アップグレード手順の間に該ネットワークにおける既存のトラフィック・フローを妨害することなく、将来該ネットワークのアップグレードを行ううえでの柔軟性をもたせることを可能にしながら、可能にするものである。
【００１２】
本発明の別の技術上の効果は、当業者には、添付図面及び、本明細書並びに特許請求の範囲から容易に明らかとなる。
【００１３】
本発明とその効果が十分に分かるよう、次に、下記明細書を添付図面とともに参照し、同じ数字は同様な部分を表すこととする。
【実施例】
【００１４】
図１は例示的光ネットワーク１０を示す。本実施例では、ネットワーク１０はその中ではいくつかの光チャネルが共通パスによって本質的に異なる波長で搬送される光ネットワークである。ネットワーク１０は波長分割多重（WDM）、高密度波長分割多重（DWDM）、又は別の適切なマルチチャネル・ネットワークであり得る。ネットワーク１０は短距離メトロポリタン・ネットワーク、長距離都市間ネットワーク又は何れかの別の適切なネットワーク若しくはネットワークの組み合わせにおいて用い得る。
【００１５】
図１を参照すれば、ネットワーク１０は複数のアッド/ドロップ・ノード（ADN）201、第１光ファイバ・リング14、及び第２光ファイバ・リング16を含む。光情報信号は種々の方向にリング１４及び１６上で伝送されてフォールト・トレランスを備える。このように、各ADNは、各隣接ADNとの間でのトラフィックの送信と受信との両方を行う。本明細書及び特許請求の範囲の原文記載の「each」の語は当該識別アイテムの少なくとも部分集合のうちのある特定のもの全てを表す。光信号は少なくとも１つの特性を変調させてオーディオ・データ、ビデオ・データ、テキスト・データ、リアル・タイム・データ、非リアル・タイム・データ及び/又は別の適切なデータを符号化する。変調は位相シフト・キーイング（PSK）、強度変調（IM）及び別の適切な手法に基づくものであり得る。
【００１６】
図示した実施例では、第１リング14はその中でトラフィックが時計回り方向で注入されるその時計回りリングである。第２リング１６はその中でトラフィックが反時計回り方向で注入されるその反時計回りリングである。隣接ＡＤＮは「スパン」と表す1本のファイバを用いて結合される。スパンAはADN201dとADN201aとの間の時計回りリング14と反時計回りリング16との部分を備える。スパンBはADN201aとADN201bとの間の時計回りリング14と反時計回りリング16との部分を備える。スパンCはADN201bとADN201cとの間の時計回りリング14と反時計回りリング16との部分を備える。スパンDはADN201cとADN201dとの間の時計回りリング14と反時計回りリング16との部分を備える。
【００１７】
ADN201はリング14及び16との間でのトラフィックのアッドとドロップとを行うよう動作可能である。各ADN201では、局所クライアントから受信されるトラフィックがリング１４と１６とにアッドされる一方、局所クライアント行きのトラフィックはドロップされる。トラフィックはリング１４と１６とに、トラフィック・チャネルを挿入するか、さもなければ該チャネルの信号を、その少なくとも一部分がリング14及び16のうちの一方又は両方で送信されるそのトランスポート信号を合成することによって、アッドし得る。トラフィックはリング１４及び１６から、トラフィックを局所クライアントに送信できるようにすることによって、ドロップし得る。このようにして、トラフィックをリング14及び16上で、ドロップし、かつ、なお巡回させ続け得る。特定の実施例では、トラフィックの、リング14及び16との間でのアッドとドロップとが受動的に行われる。〔本明細書及び特許請求の範囲の原文記載の「passive」はチャネルのアッド又はドロップを、電力、電気、及び/又は可動部品なしで、行うことを表す。本明細書及び特許請求の範囲の原文記載の「active  device」はしたがって、電力/電気又は可動部分を用いて動作を行うものである。〕特定の実施例では、トラフィックの、リング１４と１６との間でのアッド並びに/若しくはドロップを、多重化/逆多重化なしで、トランスポート・リングにおける分割/合成及び/又は該リングにおける信号の部分の分離を行うことによって、受動的に行い得る。
【００１８】
一実施例では、ADN201は更に、クライアントからのデータを多重化してリング１４と１６とにアッドし、リング１４と１６からのデータのチャネルをクライアントに向けて逆多重化するよう動作可能である。
【００１９】
更に、以下に更に詳細に記載するように、リング１４と１６は各々、ADN２０１の１つにおいて終端を、リング１４と１６とが「開状態にある」リングであるように、有する。すなわち、リング14と16とはネットワーク10の周りで連続伝送パスを構成するものでないので、トラフィックが、ネットワーク10のまるまる一巡を超えたリング上を進むこと及び/又はネットワーク10のまるまる一巡を超えたリング上に障害物を含むことがないものである。リング14と16における開口部は終端し、したがってチャネルを端点で取り出す。このようにして、チャネルのトラフィックが各ADN201に時計回りリング14及び/又は反時計回りリング16において合成ADN201によって送信された後、トラフィックはリング14と16とから取り出される。これによって各チャネルのそれ自体との干渉が妨げられる。
【００２０】
特定の実施例において、かつ、以下に更に記載するように、波長、電力及び品質のパラメータなどの信号情報の、ADN201における監視及び/又は制御システム・エレメントによる監視が行われる。この情報に基づいて、ネットワーク10はリング・カット及び別の障害に関するリアル・タイム情報をブロードキャストすることができ、かつ、保護スイッチングを行うことができる。このようにして、ADN２０１はリング14と16とのうちの一方又は両方におけるリング・カットの場合において回路を保護できるようにする。
【００２１】
ネットワーク10の総波長は、分割し、各ADN201に、ADN201の局所又は別のトラフィックによって、割り当て得る。総ラムダが40であり、ADN201の総数が４であり、かつ、ADNトラフィックが各ADN201において偶数である実施例については、10ラムダを各ADN201に割り当て得る。各ラムダが10Gb/sデータ・レートによって変調される場合、各ノートは100Gb/s(10Gb/s×10ラムダ)をネットワーク10における全てのADNに送出し得る。更に、チャネル間隔はリング14と16とにおいて柔軟であり、リング14及び16上のADNエレメントはチャネル間隔によって構成されることを要するものでない。その代わりに、例えば、チャネル間隔を、クライアントとの通信並びに/若しくはクライアントへの結合が行われるアッド/ドロップ受信器及び送信器によって、設定し得る。リング14及び16はトラフィックを、トラフィックのチャネル間隔とは独立した状態及び/叉はトラフィックのチャネル間隔に係わらない状態で、アッドし、ドロップし、通信する。
【００２２】
図２はADN201の細部を示す。ADN201を有するネットワークは、その中でネットワークの一方のリングを他方のリング上の通信が断続した場合にバックアップ通信パス又は保護パスとして用い得るその光共有パス保護リング(OSPPR)ネットワークであり得る。ADN201を有するネットワークは更に、その中で第１ADN201から第２ADN201に送出されるトラフィックが第２ADN201にネットワークの両方のリングによって通信されるその光単一方向パス・スイッチ・リング（OUPSR）ネットワークであり得る。本実施例では、光監視/サービス・チャネル(OSC)トラフィックは外部帯域において収益創出トラフィック（実際の音声トラフィック）とは別個に伝送される。特定の実施例では、OSC信号は1510ナノメータ(nm)の波長で伝送される。トランスポート・エレメント220及び222は各々、受動的にトラフィックの、多重化若しくは逆多重化なしの、リング上の信号との間での、アッド並びにドロップを行うこと及び/又はADN201のリング14及び16との別の相互作用を光カプラ又は別の適切なスプリッタを用いて備えることを行い得る。光カプラは、合成光信号の、合成若しくは別の方法での受動的生成の、２つ以上の光信号に基づいた多重化なしでの実行、及び/又は光信号の、離散光信号への分割すなわち分離若しくは別の方法での受動的生成の、該光信号に基づいた逆多重化なしでの実行、を行うよう動作可能な何れかのデバイスである。該離散信号は形式及び/又は内容において同様又は同一のものであり得る。例えば、該離散信号は内容において同一でかつエネルギにおいて同一か実質的に同様であり得るものであるか、内容において同一でかつエネルギにおいて実質的に異なり得るものであるか、内容においてわずかに異なるかそれとは違ったふうに異なり得る。
【００２３】
ADN201は、反時計回りトランスポート・エレメント220、時計回りトランスポート・エレメント222、分配エレメント224、合成エレメント226、及び管理エレメント228を備える。一実施例では、当該エレメント220、222、224、226及び228、及び当該エレメント内部の構成部分は光ファイバ・リンクと相互接続し得る。別の実施例では、該構成部分は、部分的なものとしてか別のやり方で、平面型導波管回路及び/又は自由空間光学系によって、実現し得る。更に、ADN201の該エレメントは各々、ADN201のカード・シェルフ内の1つ又は複数の個別カードとして実現し得る。更に、エレメント自体の機能は複数の個別カードにわたって分散させ得る。このようにして、ADN201は、モジュール化されていて、アップグレード可能であり、成長に合わせた段階的な投資を可能にするアーキテクチャを備える。コネクタ230によって、故障した構成部分の交換を効率的に、かつ、高い費用対効果を伴って、行うことが可能になる。追加の、異なるコネクタ及び/又は別のコネクタをADN201の一部として備え得る。
【００２４】
トランスポート・エレメント220及び222は各々、パッシブ・カプラ又は別の適切な光スプリッタ70、リング・スイッチ214、光増幅器215、及びOSCフィルタ216を備え得る。光スプリッタ70はスプリッタ70又は別の適切なパッシブ・デバイスを備え得る。一実施例では、光カプラ70は2つの入力と2つの出力とを伴うファイバ・カプラである。光カプラ70は、別の実施例では、導波管回路及び/又は自由空間光学系と全体的に又は部分的に組み合わせ得る。カプラ70は、1つ又はいくつかの、何れかの適切な入力と出力を含み得るものであり、かつ、カプラ70は、入力の数が出力の数よりも多いことがあり得るか、出力の数が入力の数よりも多いことがあり得るものである。リング・スイッチ214は接続されたリング14又は16を選択的に開状態にするよう動作可能な2x2又は別のスイッチであり得る。この2x2の実施例では、スイッチ214は「クロス」位置すなわち開位置及び「スルー」位置すなわち閉位置を含む。クロス位置はループバック検査、局所検査、及び別の信号検査を可能にし得る。開位置によってADN201におけるリング開口部が選択的に再構成されて保護スイッチングを備えることを可能にする。
【００２５】
増幅器215はエルビウム添加ファイバ増幅器（EDFA）又は別の適切な増幅器を備え得る。一実施例では、該増幅器はプリアンプであり、選択的に動作解除して接続リング14又は16を開状態にして隣接スイッチ214の故障の場合における保護スイッチングを備え得る。時計回りリング１４のスパン損失は通常、反時計回りリング１６のスパン損失とは異なるので、増幅器215は広入力ダイナミック・レンジを伴うALC機能を用い得る。したがって、増幅器215はAGCを採用して入力電力変動に対する利得平坦性を実現するとともに、内部可変光減衰器（VOA）によるALCを実現し得る。プリアンプ215とスイッチ214はOSCフィルタ216の内部のトランスポート・エレメント220及び222において配置され、かつ、入口OSCフィルタ216とアッド/ドロップ・カプラ70との間に配置される。このようにして、OSC信号はスイッチ214の位置又はプリアンプ215の動作にかかわらず、取り戻し得る。OSCフィルタ216は薄膜型、ファイバ・グレーティング型、又は別の適切な型のフィルタを備え得る。
【００２６】
図２の特定の実施例では、反時計回りトランスポート・エレメント220は反時計回りドロップ・カプラ70a及び反時計回りアッド・カプラ70bを有するパッシブ光スプリッタ・セットを含む。反時計回りトランスポート・エレメント220は更に、OSCフィルタ294を出口端にある、入口及びOSCフィルタ298に含み、反時計回り増幅器215aを入口OSCフィルタ294とドロップ・カプラ70aとの間に含み、反時計回りリング保護スイッチ214aを増幅器215aとドロップ・カプラ70aとの間に含む。したがって、本実施例におけるスイッチ214aはトランスポート・エレメント及び/又はドロップ・カプラの入口側にある。リング保護スイッチ214はADN201の接続リングを選択的に開又は閉の状態にするよう動作可能な二位置スイッチ若しくはデバイス又は別の適切なスイッチ若しくはデバイスである。反時計回りトランスポート・エレメント220は更に、分散補償を備える分散補償ファイバ（DCF）セグメント245を含む。一実施例では、ネットワーク10が2.5Gb/s以上の速度で動作する場合に、リングの円周が40キロメートルを超えるか、先行するADNまでのスパンの長さによって、DCFセグメント245を含み得る。例えば、分散補償は10Gb/s信号が1.3マイクロメートルのゼロ分散単一モード・ファイバを40キロメートルにわたって進む場合に用い得る。
【００２７】
時計回りトランスポート・エレメント２２２は時計回りアッド・カプラ70cと時計回りドロップ・カプラ70dとを含むパッシブ・スプリッタ・セットを含む。時計回りトランスポート・エレメント２２２は更に、OSCフィルタ296並びに300、時計回り増幅器215b、及び時計回りリング保護スイッチ214bを含む。OSCフィルタ300及び296は時計回りトランスポート・エレメント222の、入口端と出口端との各々に、配置される。時計回り増幅器215bは入口OSCフィルタ300とドロップ・フィルタ70dとの間に配置される一方、時計回りリング・スイッチ214bは増幅器215bとドロップ・カプラ70dとの間に配置される。したがって、本実施例におけるスイッチ214bはトランスポート・エレメント及び/又はドロップ・カプラの入口側にある。時計回りエレメント２２２は更に、上記のように、データ転送レート及び/又は先行するADNまでのスパンの長さ若しくはリングの円周によって、分散補償を備えるDCFセグメント２３５を含み得る。
【００２８】
トランスポート・エレメント220及び222の動作においては、増幅器215は入口トランスポート信号を接続リング14又は16から受信し、該信号を増幅させる。保護スイッチ２１４はネットワーク10がトラフィック・フローをリング・カット又は別の障害に応じて再構成してフォールト・トレランスを備えることを可能にする。
【００２９】
分配エレメント２２４は光スプリッタ90を備え得る。スプリッタ90は２つの光ファイバ入口導線及び複数の光ファイバ・ドロップ導線314を有するスプリッタを備え得る。ドロップ導線314は1つ又は複数のチューナブル・フィルタ266に接続し得るものであり、該チューナブル・フィルタは同様に、1つ又は複数の広帯域光受信器268に接続し得る。
【００３０】
合成エレメント226は合成増幅器であり得るものであり、クライアントと関連した1つ又は複数のアッド光送出器270に接続し得る複数の光ファイバ・アッド導線312を有するスプリッタ91を備え得る。スプリッタ91は更に、２つの光ファイバ出口導線を備えるものであり、該導線は増幅器326と328に送り込まれる。増幅器326と328はEDFA又は別の適切な増幅器を備え得る。
【００３１】
光送出器270は波長群のうちの１つに合わせ得るレーザを含み得る。本実施例では、ライトパスは２つのADN間で送信側ADNにおける光送出器のうちの１つのレーザを特定の周波数に設定し、受信側ADNにおける光受信器のフィルタを該特定の周波数に同様に設定することによって、確立し得る。別の構成はネットワーク10において何ら要するものでないが、それはトラフィック・チャネルを別のトラフィックと受動的に合成し、かつ、該トラフィックから分離させ得るものであり、リング14及び16との間で受動的なアッドとドロップとを行い得る。固定レーザを有する光送出器と固定フィルタを有する光受信器は本発明とともに用い得るものである。
【００３２】
管理エレメント228はOSC送出器272並びに281、OSCインタフェース274並びに280、OSC受信器276並びに278、及びエレメント管理システム（EMS）290を備え得る。OSC送出器、OSCインタフェース、及びOSC受信器の各セットはADN201におけるリング14又は16のうちの１つのOSC装置を構成する。OSC装置はOSC信号を受信し、EMS２９０に向けて送信する。EMS290はネットワーク管理システム(NMS)292に通信可能に接続し得る。NMSはADN201内部、別のADN内部、又はADN201全部の外部に存在し得る。
【００３３】
ADN201若しくはネットワーク10のEMS290、NMS292及び/又は別のエレメント若しくは部分はメディアに符号化されるロジックを備えて、ネットワーク10の、ネットワーク並びに/若しくはADNの、監視、故障検出、保護スイッチング及びループバック検査又は局所検査の機能を実行し得る。ロジックはディスク若しくは別のコンピュータ判読可能媒体において符号化されるソフトウェア及び/又は特定用途向集積回路（ASIC）、フィールド・プログラム可能ゲート・アレイ（FPGA）、若しくは別のプロセッサかハードウェアにおいて符号化される命令を備え得る。EMS290及び/又はNMS292の機能はネットワーク10の別の構成部分によって行い得るもの及び/又は別の方法での分散化若しくは集中化を行い得るものである。例えば、NMS292の動作はADN201のEMSに分散させて、NMSを割愛し得る。同様に、OSC装置はNMS292と直接通信して、EMS２９０を割愛し得る。
【００３４】
ADN201は更に、反時計回りアッド・ファイバ・セグメント302、反時計回りドロップ・ファイバ・セグメント304、時計回りアッド・ファイバ・セグメント306、時計回りドロップ・ファイバ・セグメント308、OSCファイバ・セグメント282、284、286、並びに288、及び光スペクトラム・アナライザ(OSA)コネクタ250、254、256、並びに258を備える。OSAコネクタは反射を回避するアングル・コネクタであり得る。検査信号は場合によっては、ネットワークに対してコネクタ248及び252から供給され得る。上記のように、複数のパッシブ物理的接触（PC）コネクタ230を適宜含んでADN201の種々のエレメントを通信可能に接続し得る。
【００３５】
動作上、トランスポート・エレメント220及び222は局所トラフィックをリング14及び16に受動的にアッドし、少なくとも局所トラフィックをリング14及び16から受動的にドロップするよう動作可能である。トランスポート・エレメント220及び222は更に、OSC信号のリング14並びに16との間でのアッド及びドロップを行い得る。特に、反時計回り方向では、OSCフィルタ294は反時計回りリング16からの入口光信号を処理する。OSCフィルタ294は光信号からOSC信号をフィルタ化し、該OSC信号をOSCインタフェース274にファイバ・セグメント282及びOSC受信器276を介して転送する。OSCフィルタ294は更に、残りのトランスポート光信号を増幅器215aに転送するか、通過させる。OSCフィルタ294をリング・スイッチ214aの外部に配置することによって、ADN201はOSC信号をリング・スイッチ214aの位置にかかわらず取り戻すことができる。
【００３６】
増幅器215aは該信号を増幅し、該信号をリング・スイッチ214aに転送する。リング・スイッチ214aは選択的に、光信号をカプラ70aにリング・スイッチ214aがスルー（閉状態にある）設定に設定される場合に送信するか、光信号をOSAコネクタ250にリング・スイッチ214aがクロス（開状態にある）設定に設定される場合に送信するよう、動作可能である。OSAコネクタに関する更なる詳細は以下に記載する。
【００３７】
リング・スイッチ214aがクロス位置に設定される場合、光信号はカプラ70aと70bに送信されず、リング16はADN201で開状態にあり、トラフィックのリング16からのドロップはADN201で行われるものでない。しかしながら、トラフィックのADN201でのアッドは行われ、アッドされたトラフィックはリング16における次のADＮに流れる。リング・スイッチ214aがスルー位置に設定される場合には、光信号はカプラ70aと70bとに転送され、リング16との間でのトラフィックのアッドとドロップとをADN201で行い得る。
【００３８】
カプラ70aはスイッチ214aからの信号を受動的に２つの概して同じ信号に分離する。パススルー信号はカプラ70bに転送される一方、ドロップ信号は分配エレメント224にセグメント304を介して転送される。信号は内容及び/又はエネルギにおいて実質的に同じであり得る。カプラ70bは受動的にカプラ７０aからのパススルー信号と合成エレメント226からのファイバ・セグメント302を介した局所アッド・トラフィックを備えるアッド信号とを合成する。該合成信号はOSCフィルタ298に渡される。
【００３９】
信号の合成と分離は、光合成器エレメントと光スプリッタ・エレメントとを一体化させたものを有する単一のカプラ70、又は合成器エレメント若しくはスプリッタ・エレメントの1つか一部分をその各々が有するその複数のカプラによって行い得る。このようにカプラを2元的に備えることによって、チャネル干渉を、局所トラフィックをリング14又は16から、トラフィックをリング14又は16にアッドする前に、ドロップすることによって削減し得る。
【００４０】
OSCフィルタ298はOSCインタフェース274からの、OSC送出器272及びファイバ・セグメント284を介した、OSC信号を、合成光信号にアッドし、合成信号を出口トランスポート信号としてリング16に転送する。アッドされるOSC信号は局所生成データであり得るか、EMS290を通過した受信OSCデータであり得る。
【００４１】
時計回り方向で、OSCフィルタ300は入口光信号を時計回りリング14から受信する。OSCフィルタ300はOSC信号を光信号からフィルタ化し、OSC信号をOSCインタフェース280にファイバ・セグメント286及びOSC受信器278を介して転送する。OSCフィルタ300は更に、残りのトランスポート光信号を増幅器215bに転送する。
【００４２】
増幅器215bは信号を増幅させ、信号をリング・スイッチ214bに転送する。リング・スイッチ214bは選択的に、光信号をカプラ70dに、リング・スイッチ214bがスルー設定に設定される場合に、送信するか、光信号をOSAコネクタ254に、リング・スイッチ214bがクロス設定に設定される場合に、送信するよう動作可能である。
【００４３】
リング・スイッチ214bがクロス位置に設定される場合、光信号はカプラ70dと70cとに送信されず、リング１６はその場合、ADN201で開状態にあり、トラフィックのリング１４からのドロップはADN201で行われるものでない。しかしながら、トラフィックのリング14へのアッドはADN201で行われる。リング・スイッチ214bがスルー位置で設定される場合、光信号はカプラ70dと70cに転送され、トラフィックのリング14との間でのアッドとドロップはADN201で行い得る。
【００４４】
カプラ70dはスイッチ214bからの信号を概して同じ信号に受動的に分離する。パススルー信号はカプラ70cに転送される一方、ドロップ信号は分配装置224にセグメント308を介して転送される。信号は内容及び/又はエネルギにおいて実質的に同じであり得る。カプラ70cはカプラ70dからのパススルー信号と合成エレメント２２６からのファイバ・セグメント306を介した局所アッド・トラフィックを備えるアッド信号を受動的に合成する。合成信号はOSCフィルタ296にパススルーされる。
【００４５】
OSCフィルタ296は、OSCインタフェース280からの、OSC送出器281及びファイバ・セグメント288を介した、OSC信号を合成光信号にアッドして合成信号を出口トランスポート信号としてリング14に転送する。上記のように、OSC信号は局所生成データ又はEMS290が通過させるデータであり得る。
【００４６】
リング14及び16にアッドする前に、局所で導き出されるトラフィックは複数のアッド光送出器270によってADN201の合成エレメント226に送信され、該合成エレメントでは信号が、上記のように、合成され、増幅され、トランスポート・エレメント220及び222に、反時計回りアッド・セグメント302及び時計回りアッド・セグメント306を介して、転送される。局所で導き出される信号は、光スプリッタ91、多重化装置、又は別の適切なデバイスによって合成し得る。
【００４７】
局所行きトラフィックは分配エレメント224に反時計回りドロップ・セグメント304及び時計回りドロップ・セグメント308からドロップされる。分配エレメント224は局所行きトラフィックを備えるドロップ信号を複数の概して同じ信号に分離し、各信号を光受信器２６８にドロップ導線314を介して転送する。光受信器268によって受信される信号はまず、フィルタ266によってフィルタ化され得る。フィルタ266はチューナブル・フィルタ又は別の適切なフィルタであり得るものであり、受信器268は広帯域受信器又は別の適切な受信器であり得る。
【００４８】
EMS290はADN201における全てのエレメントの監視及び/又は制御を行う。特に、EMS290はOSC信号を電気的形式においてOSCフィルタ294、296、298、並びに300、OSC受信器276並びに278、OSC送出器272並びに281、及びOSCインタフェース274並びに280を介して受信する。EMS290は信号の処理、転送、及び/又はループバックを行い得る。したがって、例えば、EMS290は電気的信号を受信し、OSC信号を次のADNに、適宜、OSCに対する、ADN特有のエラー情報又は別の適切な情報のアッドを伴って、再送出するよう動作可能である。
【００４９】
一実施例では、ADN201における各エレメントはそれ自体を監視し、故障又は別の問題が発生する場合に、アラーム信号をEMS290に対して発生させる。例えば、ADN201におけるEMS290はADN201におけるエレメントと構成部分から1つ又は複数の各種アラーム：増幅器ライト・ロス（LOL）アラーム、増幅器機器アラーム、光受信器機器アラーム、光送出器機器アラーム、分配増幅器LOLアラーム、分配増幅器機器アラーム、合成増幅器LOLアラーム、合成増幅器機器アラーム、又は別のアラームを受信し得る。いくつかの故障は複数のアラームを発生させ得る。例えば、リング・カットは増幅器LOLアラームを隣接ADNで発生させ、更に、エラー・アラームを光受信器から発生させ得る。
【００５０】
更に、EMS290はADN201内部の光信号の波長及び/又は電力をOSAコネクタ250、254、256、並びに258と、EMS290に通信可能に接続される光スペクトラム・アナライザ（OSA）との間の（図示しない）接続を介して監視し得る。
【００５１】
NMS292はエラー情報をADN201の全てから収集し、かつ、アラームを解析し、故障の種類及び/又は位置を判定するよう動作可能である。故障の種類及び/又は位置に基づいて、NMS292はネットワーク10が必要な保護スイッチング動作を判定する。保護スイッチ動作はNMS292によってADN201におけるEMS290に命令を発出することによって実施し得る。故障が治った後は、ネットワーク10は復旧を要するものでない。したがって、オープン型リング・ネットワーク構成は、保護スイッチングについて、変わるものでなく、開口部の位置のみが変わる。このようにして、ネットワーク運用が単純化され、ADNのプログラミングと運用とのコストが最小にされるか削減される。
【００５２】
エラー・メッセージは故障した機器を交換することによって修復し得る機器の故障を示し得る。例えば、分配エレメントにおける増幅器のうちの１つの故障は分配増幅器アラームを引き起こし得る。その場合、故障した増幅器を交換し得る。分配エレメントにおいて故障したカプラも同様に、検出し、交換し得る。同様に、光受信器又は光送出器の故障は光受信器機器アラーム又は光送出器機器アラーム、各々、を引き起こし、必要に応じて、光受信器又は光送出器を交換し得る。光送出器は遮断機構すなわちコールド・スタート機構を有し得る。交換すると、スイッチ状態からの別のスイッチング又は復旧は何ら要するものでないことがある。NMS292は保護スイッチング・プロトコルを特定のメッセージ又はメッセージの組み合わせに応じて引き起こし得る。
【００５３】
図３は光ネットワーク10をADN201a-dの概略レベルの細部とともに示す。上記のように、各ADNは反時計回りトランスポート・エレメント220、時計回りトランスポート・エレメント222、分配エレメント224、合成エレメント226、及び管理エレメント228を含む。トランスポート・エレメントはリング14と16との間でトラフィックのアッド及び/又はドロップを行う。合成エレメント226は入口局所トラフィックを合成してアッド信号を生成し、該アッド信号はトランスポート・エレメント220と222とに備えられてリング14及び16上で伝送される。分配エレメント224はドロップされた信号を受信し、局所出口トラフィックを取り戻して局所クライアントに送信する。管理エレメント228はADN201及び/又はネットワーク10の運用を監視して、ネットワーク10のNMS292と通信する。
【００５４】
各ADN201a-dは各トランスポート・エレメント220と222、各々、において、接続リング14又は16を、該ADNにおけるトランスポート・エレメント220又は222によるトラフィックのドロップ又はアッドを行う前に、選択的に開状態か閉状態にするよう制御可能な、リング・スイッチ214a及びリング・スイッチ214bを含む。リング・スイッチ214は、各ADN201のうちの1つ又は複数の中に、トラフィックのドロップ及び/又はアッドの前に、ADN201の内側端若しくは外側端での配置又は該ADNと隣接ADN201との間での配置を別の方法で適切に行い得る。
【００５５】
通常動作中に、単一のリング・スイッチ214が各リング14及び16においてクロスされるか別の方法で開状態にされる一方、残りのリング・スイッチ214は閉状態にされる。したがって、各リング14及び16は開状態にあるリング・スイッチ214以外では、連続なものであるか、違ったふうに閉状態にある。リング14と16とにおいて開状態にあるリング・スイッチ214は併せて、ネットワーク10の同じスパン及び/又は相当する点においてネットワーク10のリング14及び16を事実上、開状態にするスイッチ・セットを構成する。同じスパンがネットワーク10において、例えば、該スパンに隣接するADN201が該スパンからの入口トラフィックを、受信するものでないこと及び/又は受信してドロップする点で、開状態にされる。スパン中か、スパンに沿ってか、又はスパンの周囲で、オープン型リング・スイッチ214のそのようなアラインメントを行うことは、ネットワーク10における別のADN201各々と、巡回トラフィックからの干渉を回避するか最小にする一方で、通信し得る。
【００５６】
図示した実施例では、ADN201cの時計回りトランスポート・エレメント222におけるリング・スイッチ214bは、ADN201bの反時計回りトランスポート・エレメント220におけるリング・スイッチ214aと同様にクロスされる。残りのリング・スイッチ214はスルー位置まで閉状態にされる。ADN201cでアッドされるトラフィック・チャネル500は例示的ライトパス502と504とにおいてリング14及び16の周りを進む。特に、反時計回りライトパス502はADN201cの合成エレメント226から、そこで反時計回りリング16にアッドされるその反時計回りトランスポート・エレメント220まで延びている。反時計回りリング16上では、ライトパス502が、そこで該ライトパスが反時計回りトランスポート・エレメント220のクロス・リング・スイッチ214aによって終端されるそのADN201bまで延びている。時計回りライトパス504は、ADN201cの合成エレメント226から、該時計回りライトパスが時計回りリング１４にアッドされるADN201cの時計回りトランスポート・エレメント222まで延びている。時計回りリング14上では、ライトパス504はリング201dまで、リング201dの時計回りトランスポート・エレメント222を通じ、リング201aまで、リング201aの時計回りトランスポート・エレメント222を通じ、ADN201bまで、ADN201bの時計回りトランスポート・エレメント222を通じ、更に、もう一度ADN201cまで延び、該ADN201cでは、該ライトパス504は時計回りトランスポート・エレメント222の入口側のクロスされたリング・スイッチ214dによって終端される。したがって、各ADN201a-dは別のADN各々によって単一方向から到達されるものであり、トラフィックは、リング14と16との何れかの周りを巡回すること、又は別の方法で干渉を引き起こすこと、が妨げられる。
【００５７】
図４はネットワーク10の保護スイッチング及びライトパス保護を示す。上記のように、各ADN201a-dは、時計回りと反時計回りとのトランスポート・エレメント220並びに222、更には、合成エレメント、分配エレメント、並びに管理エレメント224、226並びに228を含む。管理エレメントは各々、NMS292と通信する。
【００５８】
リング・カット510をリング14においてADN201aと201dとの間に表す。これに応じて、以下に更に詳細に記載するように、NMS292は、ADN201dの反時計回りトランスポート・エレメント220におけるリング・スイッチ214aと、ADN201aの時計回りトランスポート・エレメント222におけるリング・スイッチ214bとを開状態にし、それによって事実上、ADN201aと201dとの間のスパンを開状態にする。当該ブレークの各々の側のリング14と16とを開状態にした後、NMS292はADN201における、何れかの、先行して開状態にあるリング・スイッチ214を閉状態にする。したがって、ある特定の時点では、当該リングは常に、開状態にある。
【００５９】
保護スイッチングの後、ネットワーク10における各ADN201はネットワーク10における別のADN201各々からトラフィックを受信し続け、動作可能なオープン型リング構成が維持される。例えば、ADN201cを起点とする信号512は反時計回りライトパス514上でADN201b及び201aに送信され、時計回りライトパス516上でADN201dに送信される。一実施例では、NMS292、EMS290、及び2x2のリング・スイッチ214は、10ミリ秒未満のスイッチング時間を伴う高速保護スイッチングを行うよう構成し得る。別の例では、ADN201aにおける時計回りリング14上の入口増幅器215bの入力モニタはリング・カット510によるライト・ロスを検出し、更に、ADN201aにおけるEMS290はADN201aにおけるリング・スイッチ214bを局所で開状態にし得る。EMS290はNMS292に通知する。NMSはADN201dにおけるリング・スイッチ214aを開状態にし、ADN201における何れかの、先行して開状態にあるリング・スイッチ214を閉状態にする。
【００６０】
ネットワーク10は、図4に表すように、保護スイッチング及びライトパス保護を可能にするエレメントを含んでいるので、ネットワーク10を運用中に、ネットワークにおけるトラフィックを妨害することなく、アップグレードし得る。上記のように、リング・カット510、又はトラフィックの別の断続は、ネットワークにおける何れかのADN201がトラフィックを受信することを妨げるものでない。したがって、リングをカットさせることを要するネットワーク保守又はアップグレードの手順はネットワーク上のトラフィック・フローにおける妨害をもたらすものでない。例えば、ネットワーク10は２つの光サブネットを有する光リング・ネットワーク（図5-9を参照しながら以下に記載する、図５のネットワーク1000の構成）に、ネットワーク10のリング14及び16を適切な位置においてカットして、２つのネットワーク・ゲートウェイを挿入することによって、アップグレードし得る。例えば、リング14及び16はADN201dと201aとの間でカットし得るものであり、ゲートウェイ1400aをネットワークに挿入し、接続し得る。リングがカットされる一方、ネットワークは図４に示すように保護スイッチングを備える。このようにして、ネットワークは運用し続けるが、これはトラフィックがネットワークの周りを、ネットワークがアップグレードされている間に、流れることが可能であるからである。
【００６１】
次に、リング14及び16はADN210bと201cとの間でカットし、ゲートウェイ1400bをネットワークに挿入し、接続し得る。各ゲートウェイの設置は別のゲートウェイの設置とは無関係である。第１ゲートウェイ(1400a)が設置されると、トラフィックはゲートウェイを通じて正常に流れることが可能になる。この手順は第２のゲートウェイ(1400b)について繰り替えされる。
【００６２】
図5は光ネットワーク1000を示すブロック図である。ネットワーク1000はネットワーク10のアップグレードされた形態であり、ネットワーク10はネットワーク1000に、上記のように、ゲートウェイ1400a及び1400bをアッドすることによってアップグレードされる。
【００６３】
本実施例によれば、ネットワーク1000は光リングである。光リングは適宜、単一の、単一方向ファイバ、単一の双方向ファイバ、又は複数の単一方向ファイバ若しくは双方向ファイバを含み得る。図示した実施例では、ネットワーク1000は、各ファイバがトラフィックを反対方向にトランスポートするように、単一方向ファイバ対、具体的には、第１ファイバすなわちリング14及び第２ファイバすなわちリング16を含む。リング14及び16は複数のADN201及び光波長再使用ゲートウェイ1400を接続する。
【００６４】
リング14並びに16及びADN201はサブネット1200と1300とに分割され、ゲートウェイ1400はサブネット境界を形成する。サブネットは、その波長が各々から隔離されておらず、サブネット内のADNからのトラフィック・ストリームを備え得るが、その波長が該リング上の別のADNからのトラフィック・ストリームから、行き先ADNに到達するために該サブネットを通過するか、該サブネットに入るか、又は該サブネットを出るトラフィック・ストリームをトランスポートする（少なくとも通常動作中での）少数の波長以外は、隔離されているそのリング上のADNの部分集合として定義し得る。ゲートウェイは（行き先ADNに反対方向で到達したか到達するであろうものを含む）行き先ADNに到達した、サブネットからの入口トラフィック・チャネルを終端し、行き先に到達していないサブネットからの入口トラフィック・チャネルを転送するよう動作可能であり得る。一実施例では、ゲートウェイADNは、当該信号を構成トラフィック・チャネルに逆多重化する逆多重化装置、選択的にトラフィックを終端するようスイッチングするスイッチ、及び残りの信号を、ゲートウェイを出る前に、多重化する多重化装置を備え得る。ゲートウェイ1400に関する詳細は図6を参照しながら、以下に記載する。
【００６５】
各リング14及び16は、各チャネル波長について、少なくとも1つの点で、開状態にある。リング14及び16における各チャネルの開口部は物理的な開口部、開状態、クロス状態、若しくは別の非閉状態にあるスイッチ、ブロッキング・フィルタ、完全に終端するか事実上終端し、それによって、チャネルを、再巡回による各チャネルのそれ自体との干渉が、該チャネルを正常な動作限度内で受信し、復号化し得るように、妨げられるか最小にされるように、リング14及び16から端点で取り出すよう、動作可能な、動作解除された伝送装置もしくは別の適切な障害物であり得る。図９を参照して以下に更に記載したように、リング14及び16は、リング・カット又は別の断続に応じて、ADN201において該断続に隣接してADN201におけるスイッチ・エレメントを用いて終端するよう備え得る。スイッチ・エレメントは、単純なオン/オフ・スイッチ、2x2のスイッチ、光クロス・コネクト、又は別の適切な光スイッチ・エレメントを備え得る。
【００６６】
一実施例では、該チャネルの一部分は両方のゲートウェイ1400でのサブネットの境界で開状態にある。各サブネット内では、トラフィックがリング14及び16との間のアッドとドロップとが受動的に行われ、チャネル間隔は柔軟であり、ADNは自由に、サブネット内部のADNとの間で信号の送受信を行うことができる。そのようなトラフィックは、本明細書及び特許請求の範囲の原文では、「intra-subnet  traffic」として表し得る。本明細書及び特許請求の範囲の原文中で「inter-subnet  traffic」と表す、トラフィックの別の部分は、別のサブネットにおけるADNとの間を行き交うことが可能なものであり、そのようなトラフィックのライトパスはゲートウェイの1つのみで開状態となる。そのようなサブネット間トラフィックは２つのサブネットの少なくとも部分内で横切るすなわち進むものであり、複数のサブネットにも進み得る。
【００６７】
サブネット内トラフィック・ストリームはその波長/チャネルをそのサブネット内のみで利用するため、1つのサブネットにおけるサブネット内トラフィックに用いられる波長/チャネルは別のサブネットにおいて別のトラフィック・ストリームによって自由に用いることができる。このようにして、本発明はネットワークの全体容量を、個々のサブネット内のチャネル間隔を柔軟に維持しながら、増大させる。
【００６８】
更に、第１サブネットにおけるチャネル中の第１トラフィック・ストリームを、低優先信号を、第２チャネル・ストリームに第２サブネットにおける同じチャネルを用いて、第２チャネル・ストリームが保護チャネル・アクセス（PCA）ストリームになるように、割り当てることによって、保護することが考えられる。低優先信号は別の高優先信号に対する保護を備えるよう終端される信号である。保護可能な信号はそれに対して保護が備えられるその信号である。このようにして、リング・カット又は別の断続によって第１のトラフィック・ストリームがその行き先ADNの全てに到達しないことをもたらす場合、第２トラフィック・ストリームを終端し、そのチャネルのゲートウェイ・スイッチを閉状態にし得るものであり、それによって第１トラフィック・ストリームが、ゲートウェイを通じて、更に、第２サブネットを通じて進んで、もう一度、第１サブネットの行き先ADNに戻り、該断続を回避することを可能にする。該断続が修復された後には、ネットワークはその断続前の状態に、チャネルの開状態にあるゲートウェイ・スイッチがネットワークをもう一度チャネルの２つのサブネットに分離するように、戻り得る。そのような保護スイッチングの詳細は図９を参照しながら更に記載する。
【００６９】
ネットワークにおけるトラフィックにチャネルを割り当てるプロトコルを考案してネットワークを効率的でかつ単純に備えることを可能にし得る。例えば、サブネット1200におけるADN201からの保護スイッチ可能なトラフィックは奇数チャネルにおいて伝搬され、サブネット1200におけるADN201の非保護でかつ終端可能なトラフィックは偶数チャネルで伝搬される一方、サブネット1300におけるADN201からの保護スイッチ可能なトラフィックは偶数チャネルにおいて伝搬され、サブネット1300におけるADN201からの非保護の、終端可能なトラフィックは奇数チャネルにおいて伝搬される。このようにして、一方のサブネットにおける保護スイッチ可能トラフィック・ストリームは他方のサブネッにおける終端可能トラフィックによってのみ占められる保護パスが保証されることになる。一実施例では、保護スイッチ可能トラフィックは終端可能トラフィックよりも高優先のトラフィックを備え得る；しかしながら、トラフィック・ストリームの保護スイッチ可能でかつ終端可能な部分への別の分割が別の実施例で適切であるか、望ましいものであることが分かるものである。
【００７０】
図６は図５のネットワークの光波長再使用ゲートウェイ1400の詳細を示すブロック図である。各チャネル（波長）は多重化信号から分離され、別個に通過するか終端される。別の実施例では、チャネル群を通過させるか終端させ得る。上記のように、ゲートウェイは隣接するサブネット間に配置され、該隣接するサブネットの境界を形成し得る。一実施例におけるチャネル再使用ゲートウェイは、リング又は別の適切なネットワーク構成の1つ又は複数の方向におけるADN間の波長を選択的に隔離するか露呈させるよう構成可能な何れかの適切な、1つ若しくは複数のADN、又は1つ若しくは複数のADNのエレメントであり得る。波長再使用は図式上お互いに共通部分を持たない２つのライトパスを同じファイバ上にマッピングする機能である。
【００７１】
図６を参照すれば、波長再使用ゲートウェイは、図２を参照して前述したように、OSC送出器272並びに281、OSCインタフェース274並びに280、OSC受信器276並びに278、及びEMS290を備える、管理エレメント228を備える。EMS228は、この場合も又図２を参照して記載したように、トランスポート・エレメント1420及び1422に、OSCファイバ・セグメント1490、1492、1494、1496を介して、接続される。
【００７２】
図2を参照して前述したように、反時計回りトランスポート・エレメント1400はOSCフィルタ1454並びに1474及び増幅器1457を備える。反時計回りトランスポート・エレメント1420は更に、ポストアンプ1478を含む。時計回りトランスポート・エレメント1422はＯＳＣフィルタ1476並びに1486、増幅器1457、及びポストアンプ1478を備える。トランスポート・エレメント1420及び1422は更に、多重化/逆多重化装置1450を備える。多重化/逆多重化装置1450各々は、逆多重化装置1454、多重化装置1452、及びトラフィック・チャネルを選択的に通過させるか終端するよう動作可能なスイッチ群1456又は別の構成部分を備え得るスイッチ・エレメントを備え得る。特定の実施例では、光信号の多重化装置1452と逆多重化装置1454とはアレイ導波管を備え得る。別の実施例では、多重化装置1452及び逆多重化装置1454はファイバ・ブラッグ・グレーティングを備え得る。スイッチ1456は2x2のスイッチ若しくは別の適切なスイッチ、光クロス・コネクト、又は逆多重化トラフィック・チャネルを終端するよう動作可能な別の適切なスイッチを備え得る。
【００７３】
プリアンプ1457は広入力ダイナミック・レンジと自動利得制御(AGC)とを伴う自動レベル制御（ALC）機能を用い得る。ALCは光増幅器の総出力電力を、ダイナミック・トランジェントが当該システムに作用しているにもかかわらず、制御する動作を表す。ポストアンプ1478はAGCを採用してチャネルのアッド/ドロップによる入力電力変動に対する利得の平坦性も実現し得る。特定の実施例では、増幅器1457及び1478は、例えば、米国特許第6,055,092号に記載のものなどの、利得可変増幅器であり得る。
【００７４】
動作上、反時計回りトランスポート・エレメント1420は複数チャネルを備えるWDM信号をリング16から受信する。OSCフィルタ1454は上記のような光信号からOSC信号をフィルタ化し、残りの光信号は、上記のように、増幅器1457に転送される。逆多重化装置1454は光信号をその構成チャネルに逆多重化する。スイッチ1456は選択的に、チャネルを多重化装置1452に転送するか終端する。多重化装置1452はチャネルを１つの光信号に、該光信号をOSCフィルタ1486に転送するよう、多重化する。OSCフィルタ1486はEMS228からのOSC信号をアッドし、リング14は出口信号を受信する。
【００７５】
時計回りトランスポート・エレメント1422は光信号をリング14から受信する。OSCフィルタ1476は上記のようにOSC信号を光信号からフィルタ化し、残りの光信号は上記のように、増幅器1478に転送される。逆多重化装置1454は光信号をその構成チャネルに逆多重化する。スイッチ1456は選択的にチャネルを多重化装置1452に転送するか終端する。多重化装置1452はチャネルを１つの光信号に、該光信号をOSCフィルタ1486に転送するよう、多重化する。OSCフィルタ1486はEMS228からのOSC信号をアッドし、リング14が出口信号を受信する。
【００７６】
EMS228は多重化装置/逆多重化装置1450を構成して保護スイッチングを備える。保護スイッチング・プロトコルは以下に更に詳細に記載する。種々の実施例によって、ゲートウェイ1400を更に、局所クライアントとの間でのトラフィックのアッド並びにドロップ及び/又は別のネットワークとの間でのトラフィックのアッド並びにドロップを行うよう動作可能であり得る。
【００７７】
種々の別の実施例によって、ゲートウェイ1400は更に、光リングとの間でのトラフィックのアッドとドロップとを受動的に行うよう備え得る。例えば、一実施例によって、図２のトランスポート・エレメント220及び222を多重化装置/逆多重化装置1450の隣のリング14及び16上のゲートウェイ1400にアッドし得る。別の実施例では、トラフィックを、多重化/非多重化装置内の2x2スイッチのアッドとドロップとの導線を介してアッドし得る。
【００７８】
図７Aは図示したゲートウェイの多重化/逆多重化装置を示すブロック図である。図７Aの多重化/逆多重化装置1460を図6の多重化/逆多重化モジュール1450の代わりに用い得る。
【００７９】
図７Aを参照すれば、多重化/逆多重化装置1460は図6を参照して前述した逆多重化装置1454及び多重化装置1452を備える。複数のスイッチ1456の代わりには、各々が2x2のスイッチ1461を備える複数の2x2のスイッチ/減衰器セット、可変光減衰器(VOA)1462、光スプリッタ1463、光検出器1465、及びコントローラ1464がある。VOA1462は入口信号を、特定の電力レベルまで、信号を取り出すスプリッタ1463、信号の電力レベルを検出する光検出器1465及び検出電力レベルに基づいてVOA1462を制御するフィードバック・コントローラ1464を含むフィードバック・ループに基づいて、減衰させる。このようにして、リングを特定のチャネルについて、2x2のスイッチを「クロス」位置に切り替えることによって開状態にし得るものであり、2x2のスイッチが「スルー」位置にある場合に「スルー」信号の電力レベルを調節し得る。更に、上記のように、トラフィックの、リングからのアッド及び/又はドロップを2x2のスイッチ1461のアッドとドロップの導線を介して行い得る。
【００８０】
図７Bは図6のゲートウェイの多重化/逆多重化装置を示すブロック図である。該多重化/逆多重化装置は光・電気・光(O-E-O)装置である。図７Bの装置1470を図６の多重化/逆多重化モジュール1450の代わりに用い得る。
【００８１】
図７Bを参照すれば、O-E-O装置1480は図６を参照して前述した逆多重化装置1454及び多重化装置1452を備える。複数のスイッチ1456の代わりには、複数のO-E-Oエレメントがあり、各エレメントは受信器1482、スイッチ1484、及び送信器1485を備える。逆多重化信号はそのチャネルに相当する受信器1482に転送され、該受信器においては光信号が電気信号に変換される。スイッチ1484は受信器1482からの電気信号を選択的に通過させるか終端する。スイッチ1484を通過した信号は送信器1486に転送され、該送信器1486においては該信号が光信号に変換される。複数の送信器1486からの光信号は多重化装置1452において多重化され、該多重化信号は図６を参照して前述したように転送される。このようにして、O-E-O1480装置はゲートウェイ1400を通過する信号の再生器としての役割を果たし得る。
【００８２】
図8は図示した光ネットワークの光信号のライトパスを示すブロック図である。例示的サブネット内信号のパスを示す。参照を容易にするように、ADN201とゲートウェイ1400とのトランスポート・エレメントの概略レベルの細部のみを表す。更に、ADN201は個別の参照数字が割り当てられ、サブネット1200中ではADN201aと201bとし、サブネット1300中ではADN201cと201dとする。ゲートウェイ1400aと1400bはサブネット1200と1300との間の境界を形成する。
【００８３】
ライトパス1266と1268は、ネットワークにアッドされる発信元ADN201cからのトラフィック・ストリーム(「ADN201cトラフィック・ストリーム」)を、反時計回り方向と時計回り方向との各々で表す。図示した実施例では、ADN201cトラフィック・ストリームの予定行き先ADNはADN201dである。ライトパス1266はトラフィック・ストリームのチャネルに相当する反時計回りトランスポート・セグメント1420における開状態（すなわち2x2のスイッチの「クロス」状態）にあるスイッチでのゲートウェイ1400bで終端する。尚、図８はADN201dを行き先ADNとして表すが、トラフィックはゲートウェイ1400aと1400bにも到達する。同様に、ADN201aから発信されるトラフィックは、行き先ADN201bを有するものとして表すが、ゲートウェイ1400aと1400bにも（もしあれば）到達する。
【００８４】
図示した実施例では、ライトパス1270と1272とをネットワークにアッドされる発信元ADN201aからのトラフィック・ストリーム（「ADN201aトラフィック・ストリーム」）を反時計回りと時計回りとの各々の方向で表す。図示した実施例では、ADN201aトラフィック・ストリームの予定行き先ADNはADN201bである。ライトパス1270はトラフィック・ストリームのチャネルに相当する反時計回りトランスポート・セグメント1420における開状態にあるスイッチでのゲートウェイ1400aで終端する。ライトパス1272はトラフィック・ストリームのチャネルに相当する時計回りトランスポート・セグメント1422における開状態にあるスイッチでのゲートウェイ1400bで終端する。
【００８５】
ADN201cトラフィック・ストリームとADN201aトラフィック・ストリームとは別々のトラフィックを表し得るが、同じ波長上で伝搬させ得る。しかしながら、ADN201cトラフィック・ストリームとADN201aトラフィック・ストリームは図式的に共通の部分を持たない別々のサブネット内で隔離される。このようにして、ネットワークの全体容量がそのチャネルについて、チャネルの柔軟性が各サブネット内で維持されても、増加する。
【００８６】
（各々が同じチャネルを用いる）ADN201cトラフィック・ストリームとADN201aトラフィック・ストリームとの何れかを終端可能な状態に割り当て得る。本明細書及び特許請求の範囲の原文における「Terminable」は、そのストリームを選択的に終端して別のストリームの保護パスを備え得る。別のストリームは保護可能なストリームであり得るものであり、本明細書及び特許請求の範囲の原文における「protectable」は、該ストリームがそのトラフィック・ストリームのライトパスのうちの１つの断続の場合に保護スイッチングを介して保護され得ることを表す。保護可能なトラフィック・ストリームのライトパスは「working  path」と呼び得るものであり、終端可能なトラフィック・ストリームのライトパスは「protection  path」と呼び得るものである。したがって、図示した例では、トラフィックをネットワークに対してADN201cを介してアッドするクライアントはリング・カット又は別の断続の場合に保護されることになるワーキング・パスに対してプレミアムを支払い得る。そのようなトラフィックは音声、ビデオ、又は別のリアルタイム性若しくは時間感度を有するトラフィックを備え得る。ADN201aでネットワークにトラフィックをアッドするクライアントは他方のサブネットのプレミアム・クライアントの保護パスを、ワーキング・パスを保護するのに必要である場合には終結することを前提に、用いるのに上記プレミアムに比べて少ない金額を支払うことを要するものでない。そのような保護スイッチングの例を図９に表す。
【００８７】
図９は図８のワーキング・ライトパスの保護スイッチングとライトパス保護とを示すブロック図である。上記のように、図９に表す例では、発信元ADN201cから行き先ADN201dへのADN201cトラフィック・ストリームのパス1268はワーキング・パスとして特化されている一方、ADN201aトラフィック・ストリームのライトパス1270と1272とは保護パスである。図示した実施例におけるADN201aトラフィック・ストリームとADN201cトラフィック・ストリームは同じチャネル上で搬送される。
【００８８】
図示した例では、リング・カット1274によって図８に表すADN201cトラフィックがその行き先ADN201dに到達することが妨げられる。特に、リング・カットによってトラフィックがライン・パス1268上をADN201dまで進むことが妨げられる。保護スイッチング・プロトコルに従って、ADN201aトラフィック・ストリームは終端され、ADN201aトラフィック・ストリームとADN201cトラフィック・ストリームとの波長に相当するゲートウェイ1400aと1400bとにおけるスイッチ1456は閉状態にされ、ADN201cトラフィック・ストリームがゲートウェイ1400bを通過し、サブネット1200に入り、反時計回り方向でADN201dまで搬送されることを可能にする。このようにして、ADN201cトラフィック・ストリームの行き先ADNの各々はADN201cトラフィック・ストリームを受信する。保護スイッチング中にADN201cトラフィック・ストリームのチャネルにおけるリング14と16とにおける開口部があることを徹底するために、ADN201cのトランスポート・エレメント220におけるスイッチ214aとADN201dのトランスポート・エレメント220におけるスイッチ214bが開状態にされる。このようにして、チャネル干渉が、例えば、リング・カット1274が１つのリングを左右するだけである場合か、修復動作中に、妨げられる。特定の実施例では、ワーキング・パスの断続における何れかのワーキング・チャネルに対して、保護パスにおける相当する保護チャネルが終端され、ゲートウェイにおけるスイッチが開状態にされる。ワーキング・チャネルが左右されない場合には、当該システムは今まで通り、動作し続ける。
【００８９】
リング・カットの修復後、ネットワークは図８に表すその保護前スイッチング状態に戻る。特に、ADN201aトラフィック・ストリームとADN201cトラフィック・ストリームとの波長に相当するゲートウェイ1400bと1400aとにおけるスイッチが開状態にされ、それによってADN201cトラフィック・ストリームをサブネット1300に閉じ込め、ADN201cと201dとにおけるスイッチ214aが閉状態にされる。このようにして、「protection  path」が取り戻される。ADN201aトラフィック・ストリームは更に、パス1270及び1272上で伝送させ得る。特定の実施例では、ネットワーク1000のNMSは複数の考えられる保護パスの中からの最短保護パスを選択するよう動作可能であり得る。
【００９０】
図10は例示的光ネットワーク20を示す。ネットワーク20は、図11を参照しながら以下に記載するADN600をネットワーク10のADN201の代わりにする以外はネットワーク10と同様である。
【００９１】
図11はADN600の例を示す。ADN600によってネットワーク内部でのOUPSR保護スイッチングが可能となる。ADN600は、ADN201の分配エレメント224と合成エレメント226とを、分割分配エレメント（DDE）650と分割合成エレメント（DCE）550各々の代わりにする以外、はADN201と同様である。
【００９２】
特定の実施例では、DDE650は２つの、別個の分配エレメント又は分離可能な分配エレメントを備え、それら2つのエレメントの各々はトラフィックを異なるリング又は方向に転送する。DDE650は時計回り増幅分配器652及び反時計回り増幅分配器654を備える。時計回り増幅分配器652は複数の光ファイバ・ドロップ導線662を伴う増幅器610とスプリッタ656とを備える。反時計回り増幅分配器654は複数の光ファイバ・ドロップ導線664を伴う増幅器620とスプリッタ658とを備える。増幅器610及び620はEDFA又は別の適切な増幅器を備え得る。
【００９３】
図２を参照して前述する、光フィルタ266と受信器268は、局所クライアントと関連し得るものであり、各々、複数のスイッチ660のうちの１つに結合される。スイッチ600は時計回り増幅分配器652からと、反時計回り増幅分配器654からとの何れかからのトラフィックを転送するよう動作可能である。各トラフィック・ストリームは専用受信器と関連し得る。
【００９４】
通常動作上、光信号のトランスポート・エレメント220又は222からのドロップを行い、分配器652若しくは654にドロップ導線308又は304各々を介して転送し得る。信号はスプリッタ656又は658によって増幅され、分離され、スイッチ660によって光フィルタ266に転送される。光フィルタ266は選択的にチャネルを受信器268に転送する。
【００９５】
保護スイッチングの目的で、スイッチ660は、第１リングから光信号を受信する通常動作中の行き先ADNでの特定の受信器が、保護スイッチング中に、その信号を第２リングから受信するように、動作可能である。保護スイッチングに関する更なる詳細は、図13及び14を参照して記載する。
【００９６】
特定の実施例では、DCE550は２つの、別個の合成エレメント又は分離可能な合成エレメントを備え、２つのエレメント各々はトラフィックを異なるファイバ又は方向から受信する。DCE550は時計回り増幅合成器552と反時計回り増幅合成器554とを備える。時計回り増幅合成器552は、図２を参照した前述のような、増幅器326と、複数の光ファイバ・アッド導線562を伴うスプリッタ556とを備える。反時計回り増幅合成器554は、図２を参照した前述のような、増幅器328と、複数の光ファイバ・アッド導線564を伴うスプリッタ558とを備える。
【００９７】
図２を参照した前述の、光送出器270は、局所クライアントと関連し得るものであり、複数のスイッチ560の１つに各々結合される。スイッチ560は、時計回り増幅合成器552と反時計回り増幅合成器554との何れかにトラフィックを転送するよう動作可能である。各トラフィック・ストリームは専用の送信器と関連し得る。トラフィック・ストリームは2つのリング方向のうちの１つに指向させ得るので、２つの異なるトラフィック・ストリームを、一実施例で、同じ波長上ではあるが別々の方向で送信し得る。
【００９８】
動作上、光信号を光送出器270からスイッチ560に送信し、スイッチ560によって合成器552又は合成器554のうちの１つに転送し、別の信号と合成し、増幅させ、時計回りリング14への導線306を介した転送又は反時計回りリング16への導線302を介した転送を行い得る。保護スイッチングの目的で、光信号は光送出器270での終端と光信号の方向のスイッチ560を介した変更との何れかが行われ得る。
【００９９】
保護スイッチングとライトパス保護のネットワーク10と同様に、図4に示すように、ネットワーク20は保護スイッチングとライトパス保護とを可能にするエレメントを含む。したがって、ネットワーク10と同様に、ネットワーク20は運用中に、ネットワークにおけるトラフィックを妨害することなく、アップグレードし得る。上記と同様に、リング・カット、又はトラフィックの別の断続は、ネットワーク20における何れかのADN600がトラフィックを受信することを妨げるものでない。したがって、リングをカットすることを要する、ネットワークの保守又はアップグレードの手順はネットワーク上のトラフィック・フローに妨害をもたらすものでない。例えば、ネットワーク20を複数の光サブネットを有する光リング・ネットワーク（図12-4を参照しながら以下に記載する、図12のネットワーク2000の構成）へのアップグレードを、適切な位置においてネットワーク20のリング14と16とをカットし、３つのネットワーク・ゲートウェイを挿入することによって、行い得る。例えば、リング14と16とは適切なADN600間における１つの位置でカットし得るものであり、ゲートウェイ1400aをネットワークに挿入し、接続し得る。リングがカットされている間、ネットワークは図4に示すものと同様な保護スイッチングを備える。このようにして、ネットワークは、トラフィックがネットワークの周りを流れることが可能であるので、ネットワークがアップグレードされている間に、運用し続ける。
【０１００】
次に、リング14と16とは適切なADN600間の別の位置においてカットし得るものであり、ゲートウェイ1400bをネットワークに挿入し、接続し得る。同様に、リング14と16とは適切なADN600間の更に別の位置にカットし得るものであり、ゲートウェイ1400cをネットワークに挿入し、接続し得る。ネットワーク2000は３つのゲートウェイ、したがって、３つのサブネット、を有するものとして示しているが、何れかの適切な数のゲートウェイ/サブネットを用い得る。
【０１０１】
図12は図５の２つのサブネット・ネットワーク1000の代わりに、３つのサブネットを伴う例示的光ネットワーク2000を示すブロック図である。図12-14に表す、本発明は２つ、３つ、又は4つ以上のサブネットを伴うネットワークにおいて利用し得ることが分かる。
【０１０２】
図12を参照すれば、ネットワーク2000は複数のADN600と光波長再使用ゲートウェイ1400とを接続する第１光ファイバ・リング14と第２光ファイバ・リングとを含む。図12は６つのADN600を表すが、何れかの数のADN600が特定の状況に基づいて適切であり得る。例えば、図12はサブネット毎での２つのADN（で計６つのADN）を表す一方、図5はサブネット毎での２つのADN（で計４つのADN）を表す。図１のネットワーク10のように、ネットワーク2000はいくつかの光チャネルが共通のパス上を本質的に異なる波長で搬送される光ネットワークであり、波長分割多重化（WDM）、高密度波長分割多重化（DWDM）、又は別の適切なマルチ・チャネル・ネットワークであり得るものであり、短距離メトロポリタン・ネットワーク、長距離の、都市間ネットワーク若しくは何れかの別の適切なネットワーク又はネットワークの組み合わせにおいて用い得るものである。
【０１０３】
ネットワーク2000では、この場合も又図１のネットワーク10と図5のネットワーク1000と同様に、光情報信号がリング14及び16上の異なる方向において伝送されてフォールト・トレランスを備える。図示した実施例では、第１リング14はその中でトラフィックが時計回り方向で伝送されるその時計回りリングである。第２リング16はその中でトラフィックが反時計回り方向で伝送されるその反時計回りリングである。ADN600は図2のADN201に、各々がリング14及び16との間でのトラフィックのアッドとドロップとを行うよう動作可能であり、トランスポート・エレメント220並びに222、及び管理エレメント228を備えるという点で、類似している。しかしながら、一実施例では、ADN201における合成エレメント226の代わりに分割合成エレメント（DCE）がある。図11を参照した前述の、DCEをADN600から発信される総チャネルのうちの第１の特定の部分数号を第１リング14に転送し、該総チャネルの第２の特定の部分集合を第２リング16に転送するよう備え得る。DCEにおけるスイッチによって特定のトラフィック・ストリームを選択的に別々のリングに保護スイッチング中に転送することを可能にし得る。更に、一実施例では、ADN201における分配エレメント224の代わりに、分割分配エレメント（DDE）がある。図１１を参照した前述の、DDEは、リング14からのトラフィックを第１の受信器部分集合で受信し、リング16からのトラフィックを第２の受信器部分集合で受信するよう備え得る。図２において表す実施例では合成エレメントはトラフィックを両方のリングに同時に転送し、分配エレメントの各受信器が両方のリングから受信する一方、DDE/DCE実施例では、個々のトラフィック・チャネルをDCEによって時計回りリング又は反時計回りリングに転送し、DDEによって時計回りリングからか反時計回りリングから受信し得る。保護スイッチング中に、DCEは特定のチャネルを一方のリングから転送することから他方のリングから転送することに切り替える。このようにして、DDE/DCE装備ADN600によって保護スイッチ可能なサブネットを3つ以上にすることが可能になる。
【０１０４】
特定の実施例では、ネットワーク2000は40チャネルを搬送し得るものであり、奇数チャネルはチャネルλ1、λ3、λ5、λ7などからλ39までを備え、偶数チャネルはチャネルλ2、λ4、λ6、λ8などからλ40までを備える。本実施例によって、DCEを、通常動作中に、高優先トラフィックを、奇数チャネルにおいて時計回りリング14に転送し、かつ、偶数チャネルにおいて反時計回りリング16に転送するよう備え得る。低優先の、終端可能なトラフィックはDCEによって偶数チャネルにおいて時計回りリング14に転送し、奇数チャネルにおいて反時計回りリング16に転送し得る。リング・カット又は別の断続の場合に、かつ、図13と14とを参照して以下に更に記載するように、DCEは断続された高優先トラフィックを他方のリングの反対の方向にスイッチングし得る。
【０１０５】
図２のADN201と同様に、各ADN600はリング14及び16からトラフィックを受信し、局所クライアント行きのトラフィックをドロップする。トラフィックのアッドとドロップとを行ううえで、ADN600はクライアントからのデータを多重化してリング14と16において伝送させ、リング14と16からのデータのチャネルをクライアントに向けて逆多重化し得る。トラフィックは、該トラフィックを、局所クライアントに向けて送信できるようにすることによって、ドロップし得る。このようにして、トラフィックをリング上で、ドロップするが、なお巡回し続け得る。この場合もまた、図２のADN201と同様に、ADN600のトランスポート・エレメントは受信トラフィックをリング14及び16上で、トラフィックのチャネル間隔にかかわらず、通信し、それによってADN600における「flexible」チャネル間隔を備える。
【０１０６】
リング14並びに16及びADN600はサブネット2100、2200、及び2300に分割され、ゲートウェイ1400はサブネット境界を形成する。ゲートウェイは図６のゲートウェイ1400又は別の適切なゲートウェイを備え得る。図13と14とを参照して以下に更に詳細に記載するように、保護スイッチング中には、ゲートウェイ1400は保護トラフィックを通過させることが可能になるよう再構成し得る。
【０１０７】
図１のネットワーク10に記載したように、各リング14及び16は各チャネルについて少なくとも1点で開状態にあり、リング14及び16は、リング・カット又は別の断続に応じて、ADN600における2x2のスイッチを用いて該断続に隣接するADN600において終端するよう備え得る。ネットワーク10と同様に、ネットワーク1000はサブネット内トラフィックとサブネット間トラフィックとの両方を備え得る。
【０１０８】
図12-14において表す実施例によって、ネットワークの容量をネットワークにおけるゲートウェイの数の2倍まで増加させることが可能であり得る。例えば、３つのゲートウェイを伴う図12に示すような３サブネットのネットワークはそのようなサブネット構成なしのネットワークの容量の6倍までの容量を有し得る。４つのゲートウェイを伴う4サブネットのネットワークはそのようなサブネット構成なしのネットワークの容量の8倍までの容量を有し得る。
【０１０９】
図13は図12の光ネットワークの光信号のライトパスを示すブロック図である。参照を容易にするように、ADN600とゲートウェイ1400とのトランスポート・エレメントとの概略レベルの細部のみを表す。更に、ADN600は個々の参照数字が割り当てられ、サブネット2100ではADN600a及び600fとし、サブネット2200ではADN600b及び600cとし、サブネット2300ではADN600d及び600eとする。サブネット2100、2200、及び2300の間の境界を形成するゲートウェイ1400は更に、個々の参照数字1400a、1400b及び1400cが割り当てられる。
【０１１０】
図示した実施例では、４つのトラフィック・ストリームを表す。トラフィック・ストリーム2750はADN600bから発信された、ADN600f行きの反時計回りストリームである。トラフィック・ストリーム2752はADN600bから発信された、ADN600c行きの時計回りストリームである。トラフィック・ストリーム2754はADN600eから発信された、ADN600d行きの反時計回りストリームである。トラフィック・ストリーム2756はADN600dから発信された、ADN600e行きの時計回りストリームである。トラフィック2752と2756とは該トラフィック・ストリームのチャネルに相当する時計回りトランスポート・セグメント1422における開状態にあるスイッチでのゲートウェイ1400cで終端する。トラフィック・ストリーム2750と2752とは該トラフィック・ストリームのチャネルに相当する反時計回りトランスポート・セグメント1420における開状態にあるスイッチでのゲートウェイ1400cで終端する。トラフィック・ストリーム2750、2752、2754、及び2756は同じチャネルすなわち波長上で搬送される；しかしながら、該ストリームは各々の発信元ADNのDCE内部の別個の光送出器から送信される。
【０１１１】
図示した実施例では、通常動作中、保護可能なトラフィックが時計回りリング14で奇数チャネルにおいて転送され、偶数チャネルにおいて反時計回りリング16に転送される。終端可能なトラフィックは、時計回りリング14で偶数チャネルにおいて転送し、奇数チャネルにおいて反時計回りリング16に転送し得る。トラフィック2750、2752、2754、及び2756の各々は、同じ、偶数チャネル（「Channel  A」）上で搬送される。チャネル(Channel)Aはλ2又は別の偶数のチャネルであり得る。したがって、トラフィック・ストリーム2750と2754とは、ワーキング・パス上にあり、顧客がそれに対してプレミアムを支払ったその高優先トラフィックを表し得るものであり、ストリーム2752と2756とは、顧客がそれに対して支払ったコストが該プレミアムよりも低いものであった、保護パス上のその低優先の優先度のものを表し得る。図14に表すように、ストリーム2752と2756とは保護スイッチング中に断続させて高優先ストリームを保護し得る。
【０１１２】
図14は図12のトラフィック・ストリーム2750の保護スイッチングとライトパス保護とを示すブロック図である。リング・カット又は別の断続の場合、代替ライトパスが、該断続によって行き先ADNの全てに到達することが妨げられる保護可能チャネル用に生成される。別のライン・パスが別のサブネットにおける別のADNからの同じチャネルにおけるトラフィックからの干渉をもたらす場合、干渉ADNにおけるDCE550はそのトラフィックを終端し得る。上記のように、奇数並びに偶数及び別の規則以外でトラフィックを別の方法で分割することを本発明の範囲から逸脱することなく利用し得るものである。
【０１１３】
図示した例では、リング・カット2560によってトラフィック・ストリーム2750が図13に表すパスにおけるその行き先ADNの全てに到達することが妨げられる。本実施例の保護スイッチング・プロトコルに従って、トラフィック・ストリーム2752と2756とが終端される。更に、ADN600bのDCEがトラフィック・ストリーム2750を反時計回り方向から時計回り方向に切り替える。トラフィック・ストリーム2752と2756とは終端され、チャネルAに相当するゲートウェイ1400bと1400cとにおける2x2スイッチは閉状態にされてチャネルAを通過させることを可能にする。このようにして、ADN600bからADN600fまでのストリーム2750用代替パスが、チャネルA上の別のトラフィック・ストリームからの干渉なしで生成される。
【０１１４】
保護スイッチング中のリング14及び16において開口部があることを徹底するために、ADN600fのトランスポート・エレメント220におけるスイッチ214aとADN600aのトランスポート・エレメント222におけるスイッチ214bとが開状態にされる。このようにして、チャネル干渉が、例えば、リング・カット2560が1つのリングを左右するだけの場合か、修復動作中に、妨げられる。
【０１１５】
リング・カットの修復後に、ネットワークは図13に表すその保護前スイッチング状態に戻される。特に、チャネルAに相当するゲートウェイ1400cと1400bとにおけるスイッチが開状態にされ、ADN600fとADN600aにおけるスイッチ214が閉状態にされる。トラフィック・ストリーム2750が反時計回り方向に戻され、トラフィック・ストリーム2752と2756が再始動し得る。
【０１１６】
図15は図１のADN201の別の例示的実施例である、ADN800の細部を示すブロック図である。ADN800によってネットワーク内部でOUPSRとOSPPRとの両方の通信が可能となる。ADN800は、反時計回りトランスポート・エレメント850a、時計回りトランスポート・エレメント850b、反時計回り分配/合成エレメント880a、時計回り分配/合成エレメント880b、及び管理エレメント228を備える。一実施例では、エレメント850、880、並びに228、更には該エレメント内部の構成部分は光ファイバ・リンクによって相互接続し得る。別の実施例では、該構成部分は、平面型導波管回路及び/又は自由空間光学系によって部分的か違ったふうに実現し得る。何れかの別の適切な接続を、代替的に用い得る。更に、ADN800のエレメントを各々、ADN800のカード・シェルフ中の1つ又は複数の個別のカードとして実現し得る。カード・シェルフの実施例の例示的コネクタ230を示す。コネクタ230によって故障構成部分の効率的でかつ費用対効果を有する交換が可能になり得る。追加の、異なるコネクタ及び/又は別のコネクタをADN800の一部として備え得る。
【０１１７】
トランスポート・エレメント850はリング3016及び3018上に「in-line」で配置される。トランスポート・エレメント850は、トラフィックの受動的なアッドとドロップとを可能にする、単一のアッド/ドロップ・カプラ860と複数のアッド/ドロップ・カプラ860との何れかを備え得る。例示的実施例では、トランスポート・エレメント850各々は単一のアッド/ドロップ・カプラ860を含む。代替的には、別個のドロップ・カプラとアッド・カプラとを、カプラの一方が故障した場合に、他方のカプラがなお、アッド又はドロップを行い得るように、含み得る。カプラ860を表しているが、何れかの別の適切な光スプリッタを用い得る。本明細書及び特許請求の範囲の原文記載の「coupler」、「splitter」、及び「combiner」の語は各々、1つ又は複数の入力光信号を受信し、入力光信号の、1つ又は複数の出力光信号への分割と、該信号の合成との何れかを行うデバイスを含むものとする。トランスポート・エレメント850は更に、各エレメントの入口端と出口端でのOSCフィルタ216と、入口OSCフィルタ216aと出口OSCフィルタ216bとの間の増幅器215を備える。増幅器215はエルビウム注入ファイバ増幅器（EDFA）又は別の適切な増幅器を備え得る。OSCフィルタ216は薄膜型、ファイバ・グレーティング型、又は別の適切な型のフィルタを備え得る。
【０１１８】
分配/合成エレメント880は各々、ドロップ信号スプリッタ882とアッド信号合成器884とを備え得る。スプリッタ882は、ドロップ導線886としての役目を担う、1つの光ファイバ入口導線と複数の光ファイバ出口導線とを伴うカプラを備え得る。ドロップ導線886は、1つ又は複数のフィルタ266に接続し得るものであり、該フィルタは同様に、1つ又は複数のドロップ光受信器268に接続し得る。4本のドロップ導線886を実施する特定の実施例では、スプリッタ882は各々、2x4の光カプラを備え得るものであり、該光カプラでは、入口導線の一方が終端され、入口導線の他方がカプラ860にファイバ・セグメントを介して結合され、４つの出口導線がドロップ導線886として用いられる。図示した実施例は４つのドロップ導線886を表すが、以下に更に詳細に記載するように、何れかの適切な数のドロップ導線886を実現し得るものとする。
【０１１９】
合成器884は同様に、アッド導線888としての役目を担う、複数の光ファイバ入口導線と、１つの光ファイバ出口導線とを伴うカプラを備え得る。アッド導線888は1つ又は複数のアッド光送出器270に接続し得る。４つのアッド導線888が実施される特定の実施例では、合成器884は各々、2x4の光カプラを備え得るものであり、該光カプラでは１つの入口導線が終端され、別の入口導線がカプラにファイバ・セグメントを介して結合され、４つの出口導線がアッド導線888として用いられる。図示した実施例は４つのアッド導線888を表すが、以下に更に詳細に記載するように、何れかの適切な数のアッド導線888を実施し得るものとする。ADN800は更に、該カプラ860をスプリッタ882と合成器884に接続する、反時計回りアッド・ファイバ・セグメント842、反時計回りドロップ・ファイバ・セグメント844、時計回りアッド・ファイバ・セグメント846、時計回りドロップ・ファイバ・セグメント848を備える。
【０１２０】
管理エレメント228はOSC受信器276並びに278、OSCインタフェース274並びに280、OSC送信器272並びに281、及びエレメント管理システム（EMS）290を備え得る。ADN800は更に、管理エレメント228を入口と出口のOSCフィルタ216に接続する、OSCファイバ・セグメント850、852、854、及び856を備える。OSC受信器276並びに278、OSCインタフェース274並びに280、及びOSC送信器272並びに281各々のセットは、ADN800におけるリング14と16とのうちの１つのOSC装置を構成する。OSC装置はOSC信号を、受信し、EMS290に向けて送信する。EMS290は通信可能にネットワーク管理システム（NMS）292に結合され得る。NMS292はADN800内部に存在し得るか、別のADNに存在し得るか、ADN800の全ての外部に存在し得る。
【０１２１】
EMS290及び/又はNMS292はメディアに符号化されたロジックを備えて、図17のネットワーク3000の、ネットワーク並びに/若しくはADNの監視、故障検出、保護スイッチング及びループバック検査若しくは局所検査の機能を行い得る。図15を参照すれば、ロジックは、ディスク若しくは別のコンピュータ判読可能媒体において符号化されたソフトウェア及び/又は特定用途向集積回路（ASIC）、フィールド・プログラム可能ゲート・アレイ（FPGA）、又は別のプロセッサ若しくはハードウェアにおいて符号化された命令を備え得る。EMS290並びに/若しくはNMS292の機能はネットワークの別の構成部分によって行い得るもの及び/又は別の方法での分散化若しくは集中化を行い得るものであることが分かるものである。例えば、NMS292の動作は図16のADN800及び/又はゲートウェイ3400のEMS290に分散化し得るものであり、NMS292をしたがって別個の、個別のエレメントとして割愛し得る。同様に、OSC装置は、NMS292と直接通信し、EMS290を割愛し得る。
【０１２２】
動作上、トランスポート・エレメント850はトラフィックをリング3016と3018とにアッドし、リング3016及び3018からトラフィックを受動的にドロップするよう動作可能である。トランスポート・エレメント850は更に、リング3016と3018との間でのOSC信号のアッド/ドロップを受動的に行うよう動作可能である。特に、各OSC入口フィルタ216aはそのかかるリング3016又は3018からの入口光信号を処理する。OSCフィルタ216aはOSC信号を光信号からフィルタ化し、OSC信号をそのかかるOSC受信器812に転送する。各OSCフィルタ216aは更に、残りのトランスポート光信号を関連した増幅器215に転送するか通過させる。増幅器215は該信号を増幅させ、該信号をその関連したカプラ860に転送する。
【０１２３】
各カプラ860は増幅器215からの該信号を２つのレプリカ信号に分離し、該２つの信号は、（以下に記載するように、アッド・トラフィックと合成された後）出口OSCフィルタ216bに転送されるスルー信号と、関連した分配/合成エレメント880に転送されるドロップ信号である。該分離信号は、それらが内容において同一であるか実質的に同一であるが、電力及び/又はエネルギのレベルが異なり得るという点で、コピーである。各カプラ860はスルー信号を、関連した分配/合成エレメント880からのアッド・トラフィックを備えるアッド信号と合成する。合成信号はカプラ860からその関連したOSC出口フィルタ216bに転送される。カプラ860は、アッドとドロップとの両方を行うので、非常に低損失でありかつ単純なものである。故障がカプラ860において起こった場合、該カプラの交換はアッドとドロップとの両方を左右する。これを回避するよう、単一のカプラ860を用いる代わりにドロップ・カプラとアッド・カプラをカスケード接続し得る。
【０１２４】
各OSC出口フィルタ216bは関連したOSC送信器272又は281からのOSC信号を合成光信号にアッドし、その新たに合成した信号を出口トランスポート信号としてネットワーク3000の関連したリング3016又は3018に転送する。アッドされたOSC信号は、局所生成データ又は、EMS290によってスルー転送された受信OSCデータであり得る。
【０１２５】
カプラ860に転送される前に、（局所のクライアント若しくは加入者からの、別のネットワークからの、又は何れかの別の適切なソースからの）局所で導き出されたアッド・トラフィックが分配/合成エレメント880で1つ又は複数の光送信器270から受信される。1つ又は複数の光送信器270は、手動可変光減衰器などの、送信器270からの光出力電力を調節する1つ又は複数の構成部分を含み得る。リング3018にアッドする対象のトラフィックは分配/合成エレメント880aで受信され、リング3016にアッドする対象のトラフィックは分配/合成エレメント880bで受信される。これらの受信信号はモニタとして用いることが可能である。別個の光送信器270を、その中でトラフィックをADN800でアッドする対象のその波長/チャネル毎に用い得る。更に、各アッド導線888は別の波長/チャネルと関連し得る。したがって、その中でトラフィックが特定のADN800でアッドされることが望ましいその別個のチャネル毎に送信器270とアッド導線888との組み合わせを有し得る。リング3016及び3018毎の４つのアッド導線888を示すが（４つの送信器270は明示的に示していないが）、何れかの適切な数の光送信器270と関連したアッド導線888とを用い得る。
【０１２６】
特定の分配/合成エレメント880に関連した1つ又は複数の送信器270からのアッド・トラフィックは関連した合成器884で受信される。合成器884は（該当する場合）複数の送信器270からの該信号を合成し、該合成アッド信号を関連したカプラ860に転送して、関連したリング3016又は3018にアッドする。上記のように、このアッド・トラフィックは更に、転送されたトラフィックとカプラ860で合成される。合成器884はカプラ、多重化装置、又は何れかの別の適切なデバイスであり得る。
【０１２７】
図示した例では、別個の光送信器270を各分配/合成エレメント880と関連したものとして表す。そのような実施例では、異なる信号がリング3016及び3018各々上で通信し得る。例えば、第１信号をリング16上の特定のチャネル/波長においてADN800でアッドし得るものであり、完全に異なる信号をリング14上の同じチャネル/波長において同じADN800によってアッドし得る。これは、各チャネル/波長が各分配/合成エレメント880での関連光送信器270を有するので、可能となる。下記のように、そのような特性は、とりわけ、OSPPRネットワークを備える場合に、有用である。
【０１２８】
しかしながら、以下に更に詳細に記載するように、OUPSRネットワークを備える場合、同じトラフィックが通常、ADN800からリング14と16との両方の上でアッドされる。この重複したトラフィックはフォールト保護を備えるのに用いられる。そのような実施例では、２組の別々の光受信器270を要するものでない。その代わりに、分配/合成エレメント880aと880bとは1組の送信器270を共有し得る。そのような場合では、特定の光送信器270によって生成されるアッド信号（特定のチャネル/波長におけるアッド信号）は分配/合成エレメント880aと分配/合成エレメント880bとの両方の合成器884に通信し得る。したがって、同じトラフィックをリング3016と3018とにADN800によってアッドする。
【０１２９】
上記のように、リング3016又は3018上の局所行きのトラフィックは関連した分配/合成エレメント880にカプラ860を用いてドロップされる。ドロップ・トラフィックは分配/合成エレメント880のスプリッタ882で受信され、スプリッタ882はドロップされた信号を複数の概して同じ信号に分離し、各信号を光受信器268にドロップ導線886を介して転送する。特定の実施例では、光受信器268によって受信される信号はまず、関連したフィルタ266によってフィルタ化し得る。フィルタ266は、各フィルタが異なるチャネルをその関連した受信器268に転送することを可能にするように、実現し得る。フィルタ266は（音響-光チューナブル・フィルタなどの）チューナブル・フィルタ又は別の適切なフィルタであり得るものであり、受信器268は広帯域受信器又は別の適切な受信器であり得る。そのような構成によって特定のリング3016又は3018と関連した各受信器268が異なる波長を受信し、その波長において伝送された情報を適切なクライアントに転送することを可能にする。フィルタ266を通過するドロップ光信号を、クライアントに、信号再生なしで、該信号がそのような再生を要するものでない場合に、光転送することが可能である。
【０１３０】
上記のように、ADN800は更に、エレメント管理システムを備える。EMS290はADN800における全てのエレメントの監視及び/又は制御を行う。特に、EMS290はOSC信号をリング3016及び3018各々から電気的形式でそのリングと関連したOSC受信器276又は278を介して受信する（OSC受信器276又は278は該信号を、OSCフィルタ216aを介して、得る。）。EMS290は該信号を処理し、該信号の転送及び/又はループバックを行い得る。したがって、例えば、EMS290は電気信号を受信し、OSC信号を、OSC送信器272若しくは281とOSCフィルタ216bとを介してリング3016又は3018上の次のADNに、適切であれば、ADN特有エラー情報又は別の適切な情報を当該OSCにアッドして、再送出する。
【０１３１】
一実施例では、ADN800における各エレメントはそれ自体を監視し、アラーム信号をEMS290に、故障又は別の問題が起こった場合に、発生させる。例えば、ADN800におけるEMS290は1つ又は複数の各種アラーム：増幅器ライト・ロス（LOL）アラーム、増幅器機器アラーム、光受信器機器アラーム、光送信器機器アラーム、又は別のアラーム；をADN800におけるエレメント及び構成部分から受信し得る。いくつかの故障は複数のアラームをもたらし得る。例えば、リング・カットは隣接するADNでの増幅器LOLアラーム、更には、光受信器からのエラー・アラームをもたらし得る。更に、EMS290はADN800内部での光信号の波長及び/又は電力を、通信可能に、ADN800内部の適切なファイバ・セグメントとEMS290とに接続される光スペクトラム・アナライザ（OSA）を用いて、監視し得る。
【０１３２】
NMS292はエラー情報をADN800（及び図１６並びに17のゲートウェイ3400）の全てから収集し、かつ、アラームを解析し、故障の種類及び/又は位置を判定するよう動作可能である。故障の種類及び/又は位置に基づいて、NMS292は、図17を参照して以下に記載した、ネットワーク3000に必要な保護スイッチング動作を判定する。保護スイッチ動作はNMS292によって、ADN800（及びゲートウェイ3400）におけるEMSに命令を発出することによって、行い得る。
【０１３３】
エラー・メッセージは故障した機器を交換することによって修復し得る機器の故障を示し得る。例えば、光受信器又は光送信器の故障は光受信器機器アラーム又は光送信器機器アラーム、各々、更には、光受信器又は光送信器の必要に応じた交換、を引き起こし得る。パッシブADN800を表したが、図17を参照して以下に記載した、ネットワーク3000の特定実施例はアクティブADN、パッシブADN、又はアクティブADNとパッシブADNとの組み合わせを含み得る。ADNは、光スイッチ、スイッチ可能増幅器、又は別のアクティブ・デバイスを何ら含むものでない点で、パッシブであり得る。ADNは、光スイッチ、スイッチ可能増幅器、又は別のアクティブ・デバイスをトランスポート・エレメントに含むか別の方法でADNに含む点で、アクティブであり得る。パッシブADNの設計は単純でかつ安価なものであり得る。
【０１３４】
図16を参照すれば、ゲートウェイ3400は反時計回りトランスポート・エレメント3420aと時計回りトランスポート・エレメント3420bとを含む。トランスポート・エレメント3420は各々、多重化/逆多重化（mux/demux）装置3450を備える。多重化/逆多重化装置3450は各々、逆多重化装置3454、多重化装置3452、及びスイッチ・エレメントを備え得るものであり、スイッチ・エレメントは選択的に、トラフィックのチャネル（若しくはチャネル群）の転送若しくは終端を行うよう動作可能なスイッチ・アレイ3456又は別の構成部分を備え得る。特定の実施例では、多重化装置3452と逆多重化装置3454はアレイ導波管を備え得る。別の実施例では、多重化装置3452と逆多重化装置3454はファイバ・ブラッグ・グレーティング、薄膜ベースのサブバンド（利用可能な波長/チャネル全体のうちの部分集合である波長/チャネル群）の多重化/逆多重化装置、又は何れかの別の適切なデバイスを備え得る。多重化/逆多重化装置3450がサブバンド多重化/逆多重化装置からなる場合、装置3450はサブバンドのブロッキング又は転送を行うよう動作可能である。スイッチ3456は1x2のスイッチ若しくは別の適切なスイッチ、光クロス・コネクト、該逆多重化トラフィック・チャネルの転送又は終端を選択的に行うよう動作可能な別の適切な構成部分を備え得る。多重化/逆多重化装置3450は代替的には、何れかの別の構成部分を備え得るものであり、該構成部分は併せて、個々のチャネル又はチャネル群のブロッキング又は転送を選択的に行うよう動作可能なものである。
【０１３５】
ADN800と同様に、ゲートウェイ・トランスポート・エレメント3420は更に、カプラ3460、増幅器3464、OSCフィルタ3466、及びコネクタ230を含む。図示した実施例では、カプラ3460aは各多重化/逆多重化装置の前に配置され、カプラ3460bは各多重化/逆多重化装置3450の後に配置される。カプラ3460aは受動的にプリアンプ3464aからの信号を2つの概して同じ信号：多重化/逆多重化装置3450に転送されるスルー信号、及び関連した信号再生エレメント3440に転送されるドロップ信号；に分離する。分離信号は内容が実質的に同一であり得るが、電力レベルは異なり得る。カプラ3460bは受動的に多重化/逆多重化装置3450からの信号をかかる信号再生エレメント3440からの信号と合成する。合成信号はカプラ3460bからポストアンプ3464bに転送される。
【０１３６】
トランスポート・エレメント3420は更に、ADN800のトランスポート・エレメント850と同様に、リング3016と3018との間でOSC信号のアッド及びドロップを受動的に行うよう動作可能である。特に、各トランスポート・エレメント3420はOSC入口フィルタ3466aを含み、該フィルタはそのかかるリング3016又は3018からの入口光信号を処理する。各OSCフィルタ3466aはOSC信号を光信号からフィルタ化し、該OSC信号をかかるOSC受信器278に転送する。各OSCフィルタ3466aは更に、残りのトランスポート光信号を、関連したプリアンプ3464aへ、転送するか通過させる。プリアンプ3464aは信号を増幅し、信号をその関連したカプラ3460aに転送する。
【０１３７】
トランスポート・エレメント3420各々は更に、OSC出口フィルタ3466bを含み、該フィルタは関連したOSC送信器272又は281からのOSC信号をポストアンプ3464bからの光信号にアッドし、合成信号を出口トランスポート信号としてネットワーク3000（図17）の関連したリング3016又は3018に転送する。アッドOSC信号は局所生成データであり得るか、局所EMS290を通過した受信OSCデータであり得る。
【０１３８】
信号再生エレメント3440各々はスプリッタ3222と合成器3224を含む。ADN800のスプリッタ882と同様に、スプリッタ3222は、ドロップ導線3226としての役目を担う、１つの光ファイバ入口導線と複数の光ファイバ出口導線とを伴うカプラを備え得る。1つ又は複数のドロップ導線3226各々はフィルタ3230に接続し得るものであり、該フィルタは同様に光トランスポンダ3232に接続し得る。合成器3224は同様に、アッド導線3228としての役目を担う１つの光ファイバ出口導線と複数の光ファイバ入口導線とを伴うカプラを備え得る。1つ又は複数のアッド導線3228各々は光トランスポンダ3234に接続し得る。1つ又は複数の光送信器3234は手動可変光減衰器などの、送信器3234からの光出力電力を調節する1つ又は複数の構成部分を含み得る。トランスポンダ3232及び3234はスイッチ3242及び3244によって結合し得る。
【０１３９】
スイッチ3242はトランスポンダ3232からの電気信号をスイッチ3244と、スイッチ3242に結合された局所クライアント又は別の行き先、との何れかに通信してドロップされたトラフィックを受信するよう動作可能である（ドロップ・トラフィックは矢印3246によって示す。）。スイッチ3244は、スイッチ3242と、光トラフィックをアッドする行き先との何れかから信号を受信するよう動作し得る（アッド・トラフィックは矢印3248によって示す。）。したがって、トランスポンダ3232からの信号は、適切な行き先へのドロップが行われ得るものと、トランスポンダ3234に（波長変換するか、リング3014又は3016へ返信するよう）通信し得るものとの何れかである。このようにして、ゲートウェイ3400は、トランスポンダ3232によって受信される波長毎に、信号をその波長において再生する（、更に、場合によっては波長変換する）ことと、その波長における信号を適切な位置にドロップすることとの何れかを行うよう、構成し得る。別の実施例では、ドロップされる信号は局所クライアントに再生することなしで光転送し得る（信号はフィルタ3230から直接、クライアントにトランスポンダ3232を通じて転送することなく転送し得る。）。
【０１４０】
図示した実施例は４つのドロップ導線3226と４つのアッド導線3228とを表すが、何れかの適切な数のドロップ導線3226及びアッド導線3228を、以下に更に詳細に記載するように、実現し得るものとする。ゲートウェイ3400は更に、カプラ3460aと3460bとをスプリッタ3222と合成器3224とに接続する、反時計回りアッド・ファイバ・セグメント3242、反時計回りドロップ・ファイバ・セグメント3244、時計回りアッド・ファイバ・セグメント3246、及び時計回りドロップ・ファイバ・セグメント3248を備える。
【０１４１】
ADN800と同様に、ゲートウェイ3400は、図15を参照しながら前述したように、OSC受信器276並びに278、OSCインタフェース274並びに280、OSC送信器276並びに281、及び（NMS292に結合される）EMS290を備える。EMS228はトランスポート・エレメント3420にOSCファイバ・セグメント3150、3152、3154、及び3156を介して接続される。
【０１４２】
動作上、各トランスポート・エレメント3420は光信号をそのかかるリング3016又は3018から受信し、該光信号は複数のチャネルを備える。OSCフィルタ3466aは上記のようにOSC信号を光信号からフィルタ化し、残りの光信号が増幅器3464aに転送され、該増幅器3464aは信号を増幅させ、その増幅信号をカプラ3460aに転送する。カプラ3460aは受動的に、増幅器3464からの信号を2つの概して同じ信号：多重化/逆多重化装置3450に転送されるスルー信号、及び関連した信号再生エレメント3440に転送されるドロップ信号；に分離する。分離信号は実質的に内容は同じであり得るが、電力レベルは異なり得る。
【０１４３】
多重化/逆多重化装置3450の逆多重化装置3454は光信号をカプラ3460aから受信し、信号をその構成チャネルに逆多重化する。スイッチ3456は各チャネルの多重化装置3452への終端又は転送を選択的に行う。以下に記載するように、チャネルの終端又は転送を選択的に行ってサブネット及び関連した保護機構を実現し得る。スイッチ3456によって転送されるチャネルは多重化装置3452によって受信され、該多重化装置は受信チャネルをWDM光チャネルに多重化して光信号をカプラ3460bに転送する。
【０１４４】
信号再生エレメント3440のスプリッタ3222は更に、光信号をカプラ3460aから受信する。スプリッタ3222はドロップ信号を複数の概して同じ信号に分離する。これらの信号のうちの1つ又は複数のものが各々、光フィルタ3230にドロップ導線3226を介して転送される。各ドロップ・リード3226は、特定の波長/チャネル（又は波長/チャネル群）のみを転送することが可能である関連したフィルタ3230を有し得る。フィルタ3230は、各フィルタが別のチャネル（フィルタ化チャネル）を関連トランスポンダ3232に転送することが可能であるように、実現し得る。そのような構成によって、特定の信号再生エレメント3440と関連した各トランスポンダ3232が別の波長を受信することが可能となる。これによって、同様に、特定の波長がトランスポンダ3232に転送されることが可能となり、適宜、そのような波長各々が適宜、違ったふうに処理されることが可能となる。
【０１４５】
トランスポンダ3232は光信号を受信し、光信号を電気信号に変換する受信器を含み得る。各トランスポンダは更に、電気信号をもう一度光信号に変換し得る送信器を含み得る。光信号のそのような光-電気-光(OEO)変換によって信号の再生、再タイミング、及び再シェーピングが行われる。代替的には、トランスポンダ3232及び3234は単一の受信器及び単一の送信器、各々、によって置き換えられてもよく、受信信号は受信器から電気的に送信器に通信される。再生は、光信号が発信元ADNから行き先ADNまで比較的長い距離を進むことを要する場合に、要するものであり得るか、所望され得る。信号の電力は、リング3016又は3018上を進むにつれて低下するので、信号再生を、進む距離が、該信号が使用不能か望ましくないものである状態まで劣化するのに十分大きい場合に、要する。
【０１４６】
単に例としてであるが、通常のメトロポリタン・ネットワークでは、信号再生は、信号が約100キロメートル進んだ後に望ましいものであり得る。
【０１４７】
図示した実施例では、再生電気信号はトランスポンダ3232からスイッチ3342に転送される。スイッチ3342は、上記のように、関連したトランスポンダ3232からの信号（ドロップ信号3346）を選択的にドロップし得るか、信号をスイッチ3344に転送し得る。スイッチ3344は、上記のように、動作してスイッチ3342又は光トラフィック（アッド信号3348）をアッドする行き先からのトラフィックを受信し、それらの信号をトランスポンダ3234に通信し得る。トランスポンダ3234は受信器と送信器とを含み得るものであり、トランスポンダ3234に転送される信号は、トランスポンダ3232と同様に、光・電気・光変換を経る。特定の実施例では、トランスポンダ3234は信号が伝送される波長/チャネルを変更し得る送信器を含む。そのような波長変換を特に用いることを以下に更に詳細に記載する。
【０１４８】
トランスポンダは「セット」（トランスポンダ3232とトランスポンダ3234）として表すが、いくつかの実施例はそのようなセット各々を単一のトランスポンダによって置き換え得る。そのような単一のトランスポンダは信号再生と波長変換との両方を行い得る。更に、何れかの数の、ドロップ導線3226、アッド導線3228、及び関連したトランスポンダ3232並びに3234を用い得る。そのような導線とトランスポンダのセット（又は単一のトランスポンダ）の数はその上で再生又は波長変換を行う予定のそのリング3016及び3018上で通信される光信号の波長/チャネルの数によって変わり得る。
【０１４９】
特定の波長/チャネル上での再生及び/又は波長変換を行った後、そのような波長/チャネルは特定の信号再生エレメント3440のトランスポンダ3234からアッド導線3228を介してその信号再生エレメント3440の合成器3224に通信される。合成器3224はトランスポンダ3234からの種々の波長/チャネルを合成し、合成光信号を関連したトランスポート・エレメント3420のカプラ3460bに転送する。
【０１５０】
カプラ3460bは関連した多重化/逆多重化装置3450からの光信号を関連した信号再生エレメント3440からの光信号と受動的に合成する。合成信号はカプラ3460bから関連したポストアンプ3464bに転送され、該ポストアンプでは合成光信号が増幅される。増幅光信号は更に、OSC出口フィルタ3466bに転送され、該OSC出口フィルタは関連したOSC送信器272又は281からのOSC信号を合成光信号にアッドし、該新たに合成した信号を出口トランスポート信号としてネットワーク3000の関連したリング3016又は3018に転送する。アッドOSC信号は局所生成データであり得るか、EMS290によってスルー転送された受信OSCデータであり得る。
【０１５１】
リング3016並びに3018毎のゲートウェイ3450における、カプラ3460a並びに3460b、多重化/逆多重化装置3450、及び信号再生エレメント3440の組み合わせによって、リング3016並びに3018上のゲートウェイ3450に到着する光トラフィックが柔軟に処理できるようになる。例えば、トラフィックの特定の波長/チャネルは、再生又は波長変換が何ら行われないように、多重化/逆多重化装置3450を通じて転送し得る。これらの同じ波長は通常、カプラ3460aからの信号再生エレメント3440にドロップされる光信号から取り除かれる。別の波長各々は、信号再生エレメント3440のフィルタ3230の１つを通じて転送することが可能であり、それによって、別の波長への再生及び/又は変換を行い得る。トランスポンダ3232に転送されるこれらの波長は通常、多重化/逆多重化装置3450の関連したスイッチ3456によって終端される。したがって、光信号入力ゲートウェイ3400の各波長は：1)光パススルーを行い得るか、2)（光サブネット領域を別のそのような領域から分離するよう）光終端を行い得るか、3)波長変換なしで再生し得るか、4)ある程度の波長変換を伴って再生し得る。EMS228は、各波長上でこれらの選択肢の１つを行って、サブネット、保護スイッチング、及び、以下に更に詳細に記載するような、別の適切な機能を行うことができるよう、多重化/逆多重化装置3450及び信号再生エレメント3440を構成し得る。
【０１５２】
種々の別の実施例によれば、ゲートウェイ3400は更に、光リング3016並びに3018との間でのトラフィックのアッド及びドロップを受動的に行うよう更に備え得る。２つのそのような例示的実施例は以下に記載する。
【０１５３】
図17はADN800及びゲートウェイ3400を組み入れた光ネットワーク3000を示すブロック図である。ネットワーク3000は単一方向ファイバ対を含み、各々は反対の方向でトラフィックのトランスポートを行い、該対は具体的には、第１ファイバすなわちリング3016及び第２ファイバすなわちリング3018である。リング3016及び3018は複数のADN800と光ゲートウェイ3400とを接続する。ネットワーク3000はその中でいくつかの光チャネルが共通パス上を本質的に異なる波長/チャネルで搬送されるその光ネットワークである。ネットワーク3000は波長分割多重化（WDM）、高密度波長分割多重化（DWDM）、又は別の適切なマルチチャネル・ネットワークであり得る。ネットワーク3000はメトロポリタン・アクセス・ネットワーク、長距離の、都市間ネットワーク、又は何れかの別の適切なネットワーク若しくはネットワークの組み合わせとして用い得る。
【０１５４】
光情報信号はリング3016及び3018上の種々の方向で伝送される。図示した実施例では、第１リング3016はその中でトラフィックが時計回り方向で伝送されるその時計回りリングである。第２リング3018はその中でトラフィックが反時計回りで伝送されるその反時計回りリングである。ADN800は各々、リング3016及び3018との間でトラフィックのアッド及びドロップを受動的に動作可能である。特に、各ADN800はトラフィックを局所クライアントから受信し、そのトラフィックをリング3016及び3018にアッドする。同時に、各ADN800はトラフィックをリング3016及び3018から受信し、局所クライアント行きトラフィックをドロップする。トラフィックのアッドとドロップとを行ううえで、ADN800はクライアントからのデータを合成してリング3016及び3018において送信し得るものであり、データのチャネルをリング16及び18からクライアントに対してドロップし得る。トラフィックは、該トラフィックを局所クライアントに送信できるようにすることによって、ドロップし得る。このようにして、リング上でトラフィックを、ドロップするが、トラフィックはなお巡回し続け得る。ADN800はトラフィックをリング3016及び3018上でトラフィックのチャネル間隔にかかわらず通信し、それによってADN800における「柔軟な」チャネル間隔を備える。本発明の特定の実施例では、トラフィックのリング3016及び3018からのアッド及び/又はドロップを、多重化/逆多重化なしでの、トランスポート・リング又は、リングにおける信号の分離部分、における、分離/合成によって、受動的に行い得る。
【０１５５】
波長、電力及び品質のパラメータなどの信号情報はADN800において監視し得るもの及び/又は集中制御システムによって監視し得るものである。したがって、ADN800はリング3016及び3018のうちの一方又は両方におけるリング・カット又は別の断続の場合における回線を保護できるようにし得る。光監視チャネル（OSC）はADNによって用いられてお互いに通信し合い、かつ、制御システムと通信し得る。特定の実施例では、図18乃至20を参照しながら以下に更に詳細に記載するように、ネットワーク3000はOUPSRネットワークであり得る。第２のADN800は、第２ADNがリング3016及び3018を介して到着するトラフィック間を選択して局所クライアントに、低ビット・エラー・レート（BER）、高電力レベル、及び/又は別の適切でかつ望ましい特性を有する当該リングからのトラフィックを転送することを可能にする構成部分を含み得る。代替的には、そのような構成部分はトラフィックを指定されたリングから、トラフィックが1つ又は複数の動作特性の特定レベルを下回る/上回る場合でない限り、選択し得るものである（その場合には、他方のリングからのトラフィックを選択し得る。）。そのような２元信号を用いることによって、トラフィックが第１ADN800から第２ADN800までリング3016及び3018のうちの少なくとも一方の上をリング3016及びリング3018のうちの他方に対するリング・カット又は別の損傷の場合に進むことを可能にする。
【０１５６】
別の実施例では、ネットワーク3000はOSPRRネットワークであり得る。そのようなバックアップの役割において用いられない場合、保護パスは別の割り込み可能トラフィックを通信し得るものであり、それによってそのような実施例におけるネットワーク3000の容量を増大させる。そのようなOSPPR保護機構は図21に関連して以下に更に詳細に記載する。
【０１５７】
波長割り当てアルゴリズムは、波長再使用の最大化及び/又は波長の割り当てを発見的に行い得るものである。例えば、発見的割り当てによって（その入口ADNと出口ADNが同一サブネットにあるその）サブネット内ライトパス全てに利用可能な最低波長を割り当て得る。一方、（その入口ADNと出口ADNが別々のサブネット上すなわち別々のリング上にあるその）サブネット間ライトパスは考えられる最高の波長上で割り当て得る。これによって静的ロード・バランシングを備え得るものであり、リングにおいて要するネット・トランスポンダ・カードの種類の数を削減し得る。
【０１５８】
一実施例では、各サブネットは波長資源を有効活用するよう割り当てられ、光ネットワークに実質的に等しい波長チャネル容量を有する。一実施例におけるこの意味合いで実質的に等しいことはサブネットがその波長の80%を別のサブネットから隔離させており、サブネット内トラフィック用に利用可能にさせていることを表し得る。別の実施例では、実質的に等しいことは90%又は別の適切な割合を表し得る。
【０１５９】
ネットワークはサブネットにADN毎帯域利用度に基づいて分割し得る。例えば、ネットワークは特定数のADN、ネットワークの（帯域幅による）最大容量、及びADN毎の通常容量を有し得る。帯域幅は各ADNに配分され、第１サブネットは、総帯域幅が完全に使い果たされる場合とサブネット帯域幅が次のADNのアッドが過剰帯域幅の問題を発生させるような場合に、構築される。この処理は各ADNが考えられるサブネットに配置されるまで繰り返される。
【０１６０】
図18は図17の光ネットワーク3000における例示的光信号を示すブロック図である。これらの例示的ライトパスはネットワーク3000のOUPSRネットワークとしての実現形態を示す。ネットワーク3000は複数のADN800とハブADNとしての役割を果たす単一のゲートウェイ3400を含む。したがって、ネットワーク3000はサブネットを備えるものでない。図18では、参照を容易にするよう、ADN800とゲートウェイ3400との概略レベルの細部のみを表す。
【０１６１】
例示的実施例では、３つのトラフィック・ストリームを表す。トラフィック・ストリーム3250はADN800gから発信され、リング3016上をADN800hに向けて進む時計回りストリームである。トラフィック・ストリーム3522はADN800gから発信され、リング3018上をADN800hに向けて進む反時計回りストリームである。トラフィック・ストリーム3522’はその波長を変換させた後のそのトラフィック・ストリーム3522である。トラフィック・ストリーム3522’はストリーム3522と同じ内容を含むが、異なる波長にある。OUPSR保護については、トラフィック・ストリーム3520及び3522はADN800h行きの同一の内容を含む。以下に記載するように、これらの2元OUPSRトラフィック・ストリームは、ストリーム3520の波長変換を備えてネットワーク3000における干渉を妨げるよう、ゲートウェイ3400を構成することによって、実現し得る。
【０１６２】
トラフィック・ストリーム3520は第１波長/チャネルλ1においてADN800gでリング3016と関連した送信器270を用いて発信される。ストリーム3520はリング3016上の既存の光信号にリング3016と関連したADN800gのカプラ860を介してアッドされる。ストリーム3520のみをリング3016上で表すが、別の波長/チャネルにおける別のトラフィック・ストリームもリング3016の周りを進むものとする。ADN800gを出た後、ストリーム3520はリング3016を介してADN800hに進む。ADN800hのカプラ860はストリーム3520をリング3016上の全ての別のトラフィックとともにドロップする。受信器268は更に、ストリーム3520を（例えば、付属フィルタを用いて）受信し、そのストリームの内容を適切な場所（例えば、ADN800hのクライアント）に通信するのに用い得る。ストリーム3520は更に、ADN800hのカプラ860によって転送され、ゲートウェイ3400に進む。
【０１６３】
ゲートウェイ3400のカプラ3460aはリング3016上のADN800hからの（ストリーム3520を含む）トラフィックのドロップと転送との両方を行う。転送トラフィックはゲートウェイ3400の逆多重化装置3454によってその構成波長/チャネルに逆多重化され、この逆多重化されたトラフィックはストリーム3520をλ1において含む。逆多重化ストリーム3520は逆多重化装置3454からその関連スイッチ3456に転送される。スイッチ3456は図示した実施例においてストリーム3520を終端するよう構成される。ストリーム3520におけるトラフィックはADN800h行きであるため、そのような終端は適切であり、ADN800hにはこのトラフィックが既に到達している。カプラ3460aからドロップされるトラフィックに含まれるドロップ・ストリーム3520は同様に、ゲートウェイ3400の信号再生エレメント3440と関連したフィルタ3230を、λ1を転送しないよう、構成することによって、終端される。
【０１６４】
トラフィック・ストリーム3522は第２波長/チャネルλ2においてADN800gでリング3018と関連した送信器270を用いて発信される。λ2の使用は単に、例として、かつ、区別する目的で、活用される。実際に、リング3016はリング3018からは離れているため、ストリーム3522をλ1において伝送し得る（ものであり、通常、伝送し得る）。更に、何れかの別の適切な波長/チャネルをストリーム3522と3522’とを伝送するのに用い得る。ストリーム3522は既存光信号にリング3018上でリング3018に関連したADN800gのカプラ860を介してアッドされる。ストリーム3522（及び3522’）のみをリング3018上で表すが、別の波長/チャネルにおける別のトラフィック・ストリームもリング3018の周りを進むものとする。ADN800gを出た後、ストリーム3522はリング3018を介してADN800fに進む。
【０１６５】
ストリーム3522は、別のトラフィックとともに、ADN800f、800e、800d、800c、800b、及び800aを通じてゲートウェイ3400に進む。トラフィック・ストリーム3522はADN800f、800e、800d、800c、800b、及び800aによってドロップされるものとして表すものでないがそれはストリーム3522がこれらのADN行きでないからである。しかしながら、これらのADNの各々のカプラ860は、ストリーム3522（、更には、リング3018上の残りのトラフィック）のアッドとストリーム3522（、更には、別のトラフィック）のドロップとの両方を行うものとする。これらのADNフィルタの各々と関連したフィルタ266は上記のように、λ2を取り除くが、それはストリーム3522がこれのADN行きでないからである。
【０１６６】
ゲートウェイ3400に到達すると、ゲートウェイ3400のカプラ3460aはADN800aからの（ストリーム3522を含む）トラフィックをリング3018上でのドロップと転送とを行う。この例の目的で、ストリーム3522はこの時点で波長変換を要するが、それはλ2においてストリーム3522がゲートウェイ3400を通じて進むことによってλ2におけるADN800gから発信されるトラフィックとの干渉をもたらすからである。したがって、カプラ3460aによって転送されるトラフィックがゲートウェイ3400の逆多重化装置3454によって逆多重化されると、λ2における逆多重化ストリーム3522がスイッチ3456によって終端される。
【０１６７】
カプラ3460aによってドロップされるトラフィックはリング3018と関連した信号再生エレメント3440に転送される。ドロップ・トラフィックは複数のコピーにスプリッタ3222によって分離され、ストリーム3522はトランスポンダ3232にλ2を選択するフィルタ3230によってスルー転送される。ストリーム3522は更に、トランスポンダ3232を用いて再生され、その波長はλ3にトランスポンダ3234によって変換される（が、上記のように、単一のトランスポンダを特定の実施例に用い得る。）。再生され、波長変換されたストリーム3522’は更に、合成器3224によって信号再生エレメント3440を通じて転送される別の信号と合成され、合成信号はカプラ3460bによって多重化/逆多重化装置3450を通じて転送されるトラフィックにアッドされる。この合成トラフィックはゲートウェイ3400からその行き先であるADN800hに通信される。
【０１６８】
ADN800hのカプラ860はストリーム3522’（、更には、リング3018上のトラフィックの残り）の転送とストリーム3522’（、更には、別のトラフィック）のドロップとの両方を行う。ADN800hに関連したフィルタ266の１つはλ3をスルー転送するが、それはストリーム3522’がADN800h行きであるからである。ストリーム3522’は更に、ADN800gまで進み、ADN800gはストリーム3522’をドロップし、取り除く。ストリーム3522’はその場合λ3にあるため、干渉はストリーム3522’がADN800gからλ2において発信されるストリーム3522と合成される場合、何ら発生するものでない。更に、ストリーム3522’はADN800gからADN800fに進む。
【０１６９】
ストリーム3522と同様に、ストリーム3522’は、別のトラフィックとともに、ADN800f、800e、800d、800c、800b、及び800aを通じてゲートウェイ3400に進む。トラフィック・ストリーム3522’はADN800f、800e、800d、800c、800b、及び800aによってドロップされるものとして表していないが、それはストリーム3522’がこれらのADN行きでないからである。しかしながら、これらのADNの各々のカプラ860はストリーム3522’（、更には、リング3018上のトラフィックの残り）の転送とストリーム3522’（、更には、別のトラフィック）のドロップとの両方を行うものとする。これらのADNの各々に関連したフィルタ266は、上記のようにλ3を取り除くがそれはストリーム3522’がこれらのADN行きでないからである。
【０１７０】
ストリーム3522と同様に、ゲートウェイ3400のカプラ3460aはストリーム3522’のドロップと転送との両方を行う。転送ストリーム3522’は、逆多重化装置3454によって逆多重化された後にスイッチ3456によって終端される。そのような終端は適切であるがそれはストリーム3522’におけるトラフィックが、そこにはこのトラフィックは既に到達しているそのADN800h行きであるからであり、かつ、ストリーム3522’が更に進むことによってゲートウェイ3400から発信されるストリーム3522’と干渉するからである。カプラ3460aからドロップされるトラフィックに含まれるドロップ・ストリーム3522’は同様に、ゲートウェイ3400の信号再生エレメント3400に関連したフィルタ3230を、λ3を転送しないよう、構成することによって、終端される。
【０１７１】
このようにして、OUSPR保護をネットワーク3000において、ゲートウェイ3400とADN800とを構成することによって、備え得る。この保護は一実施例において、発信元から行き先までリング3016の周りを時計回りに進むトラフィック・ストリーム3520、及びリング3018の周りを反時計回りに進む第１のトラフィック・ストリーム3520と同じ内容を含むトラフィック・ストリーム3522並びに3522’を備えることによって、実現される。したがって、保護が備えられるがそれは該内容が該行き先に、リング・カット3590などの、1つ又は複数の位置でのリング3016又は3018におけるブレーク又は別のエラーがある場合でも、到達し得る。例えば、図19に表すように、リング3016がADN800gと800hとの間で断線状態にある場合には、トラフィック・ストリーム3520はADN800hに到達するものでない。しかしながら、上記のように、トラフィック・ストリーム3522はストリーム3520と同じ内容を含む。トラフィック・ストリーム3522はADN800gで発信され、ADN800f、800e、800d、800c、800b、及び800aを通過してから、ゲートウェイ3400に到達し、該ゲートウェイでは、トラフィック・ストリーム3520はトラフィック・ストリーム3522’に波長変換される。トラフィック・ストリーム3522’はトラフィック・ストリーム3522と同一の内容を含み、したがって、トラフィック・ストリーム3520と同一の内容を含む。トラフィック・ストリーム3522’はADN800hにゲートウェイ3400から発信された後に到達し、それによって、トラフィック保護を備える。ネットワーク3000におけるブレーク又は別のエラーは同様な方法で処理し得る。
【０１７２】
ネットワーク3000は、図19に表すように、保護スイッチング及びライトパス保護を可能にするエレメントを含むので、ネットワーク3000は運用中にネットワークにおけるトラフィックを妨害することなくアップグレードし得る。上記のように、リング・カット3590又はトラフィックの別の妨害はネットワークにおける何れかのADN800がトラフィックを受信することを妨げるものでない。したがって、リングをカットすることを要する、ネットワークの保守又はアップグレードの手順は、ネットワーク上のトラフィック・フローにおける妨害をもたらすものでない。例えば、ネットワーク3000は、複数の光サブネットを有する光リング・ネットワーク（図20-21を参照しながら以下に記載した、図20のネットワーク4000の構成）に、ネットワーク3000のリング3016及び3018を適切な位置でカットし、2つの追加のネットワーク・ゲートウェイを挿入することによって、アップグレードし得る。ネットワーク4000は３つのゲートウェイ、したがって3つのサブネット、を有するものとして示しているが、何れかの適切な数のゲートウェイ/サブネットを用い得る。リング3016及び3018は適切なADN800間の1つの場所でカットし得るものであり、ゲートウェイ3400bをネットワークに挿入し、接続し得る。リングがカットされる場合、ネットワークは図19に示すような保護スイッチングを備える。このようにして、ネットワークは運用し続けるが、それはトラフィックがネットワークの周りをネットワークがアップグレードされている間に流れることが可能であるからである。
【０１７３】
次に、リング3016及び3018を適切なADN800間の別の位置でカットし得るものであり、ゲートウェイ3400cをネットワークに挿入し、接続し得る。各ゲートウェイの設置は別のゲートウェイの設置とは無関係である。第１ゲートウェイが設置された場合、トラフィックは該ゲートウェイを通じて正常に流れることが可能である。
【０１７４】
図20は光ネットワーク4000の例示的構成に関連した例示的光信号を示すブロック図である。光ネットワーク4000は、図13に表す、光ネットワーク2000と、図20のADN800及びゲートウェイ3400が図13のADN600及びゲートウェイ1400とは異なる構成を有する以外は、類似している。例示的光信号ライトパスはネットワーク4000のOUPSRネットワークとしての実現形態を示す。図20では、参照を容易にするよう、ADN800及びゲートウェイ3400の概略レベルの細部のみを表す。例示的光ネットワーク4000は３つのサブネット4400、4500、及び4600を含む。サブネット4400はADN800g及び800hを含み、サブネット4500はADN800a及び800bを含み、サブネット4600はADN800f、800e、800d、及び800cを含む。ゲートウェイ3400aはサブネット4400及び4500を分割し、ゲートウェイ3400bはサブネット4500及び4600を分割し、ゲートウェイ3400cはサブネット4600及び4400を分割する。これらのADN800及びゲートウェイ400は全て、以下に記載するような、「drop  and  continue」機能を有し得る。
【０１７５】
図示した実施例では、３つのトラフィック・ストリームを表す。トラフィック・ストリーム4300はADN800aから発信され、リング3016上をADN800bに向けて進む時計回りストリームである。トラフィック・ストリーム4302はADN800aから発信され、リング3018上をADN800bに向けて進む反時計回りストリームである。トラフィック・ストリーム4302’は、その波長を変換させた後のそのトラフィック・ストリーム4302である。トラフィック4302’はストリーム4302と同じ内容を含むが、別の波長/チャネルにある。OUPSR保護については、トラフィック4300及び4302はADN800b行きの同一の内容を含む。以下に記載するように、これらの2元OUPSRトラフィック・ストリームは、適切な状況においてストリーム4300並びに/若しくは4302の再生及び/又は波長変換を選択的に行うようにするようゲートウェイ3400を構成することによって、実現し得る。例えば、ストリーム4300及び/又は4302は特定の距離を進んだ後に再生し得るものであり、ストリーム4302はストリーム4302’に波長変換してストリーム4302自体との干渉を、ストリーム4302が、そこからストリーム4302が発信されたそのサブネットを通過するうえで、妨げ得る。そのような選択的再生及び/又は波長変換によってストリーム4300及び4302が（該当する場合には）比較的に長い距離にわたって進むことが可能となる。
【０１７６】
トラフィック・ストリーム4300は第１波長/チャネルλ1においてADN800aでリング3016と関連した送信器270を用いて発信される。ストリーム4300はリング3016上の既存の光信号にリング3016と関連したADN800aのカプラ860を介してアッドされる。ストリーム4300のみをリング3016上に表すが、別の波長/チャネルにおける別のトラフィック・ストリーム（又は場合によっては別のサブネットにおける同じ波長/チャネル）もリング3016の周りを進むものとする。ADN800aを出た後、ストリーム4300はリング3016を介してADN800bに進む。ADN800bのカプラ860はストリーム4300を、リング3016上の別のトラフィック全てとともに、ドロップする。（付属フィルタ266を伴う）受信器268は更に、ストリーム4300を受信し、そのストリームにおける情報を適切な位置に転送するのに用い得る。ストリーム4300は更に、ADN800bのカプラ860によって転送され、ゲートウェイ3400bに進む。
【０１７７】
ゲートウェイ3400bのカプラ3460aはADN800bからの（ストリーム4300を含む）トラフィックのリング3016上でのドロップ（すなわち、コピーの再生エレメント3440への転送）と転送との両方を行う。転送トラフィックはゲートウェイ3400bの逆多重化装置3454によってその構成波長/チャネルに逆多重化され、この逆多重化トラフィックはストリーム4300をλ1において含む。逆多重化ストリーム4300は逆多重化装置3454からその関連スイッチ3456に転送される。スイッチ3456は図示した実施例においてストリーム4300を終端するよう構成される。そのような終端は適切であるが、それはストリーム4300におけるトラフィックがADN800b行きであるからであり、ADN800bにはこのトラフィックは既に到達している。カプラ3460aからドロップされるトラフィックに含まれるドロップ・ストリーム4300は同様に、ゲートウェイ3400の信号再生エレメント3440に関連したフィルタ3230を、λ1を転送しないよう、構成することによって、終端される。ストリーム4300はサブネット4600及び4400に入る前に終端されるので、所望の場合には、λ1をこれらのサブネットにおいて別のトラフィック用に再使用し得る。
【０１７８】
トラフィック・ストリーム4302は第２波長/チャネルλ2においてADN800aでリング3018と関連した送信器270を用いて発信される。λ2の使用は単に、例としてのみ、かつ、区別の目的で、活用される。実際に、リング3016はリング3018からは離れているので、ストリーム4302をλ1において送信し得るものである（、更には、ストリーム4302を通常、λ1において送信し得るものである。）。更に、何れかの別の適切な波長/チャネルを用いてストリーム4302、4300及び4302’を送信し得る。ストリーム4302は既存の光信号にリング3018上でリング3018に関連したADN800aのカプラ860を介してアッドされる。ストリーム4302（及び4302’）のみをリング3018上に表すが、別の波長/チャネルにおける（又は場合によっては別のサブネットにおける同じ波長/チャネルにおける）別のトラフィック・ストリームもリング3018の周りを進むものとする。ADN800aを出た後、ストリーム4302はリング3018を介してゲートウェイ3400aに進む。
【０１７９】
ゲートウェイ3400aのカプラ3460aはADN800aからのリング3018上の（ストリーム4302を含む）トラフィックのドロップと転送との両方を行う。転送トラフィックはゲートウェイ3400aの逆多重化装置3454によってその構成波長/チャネルに逆多重化し、この逆多重化トラフィックはストリーム4302をλ2において含む。逆多重化ストリーム4302は逆多重化装置3454からその関連スイッチ3456に転送される。スイッチ3456は図示した実施例においてストリーム4302を転送するよう構成される。そのような転送は適切であるが、それはストリーム4302におけるトラフィックが、そこにはこのトラフィックはまだ到達していないそのADN800b行きであるからであり、ストリーム4302は再生も波長変換も要するものでないからである。図示した実施例では、ADN800aからゲートウェイ3400aまでの距離は信号再生を要するほど十分大きいものでないこととする。転送ストリーム4302は別の多重化トラフィックと多重化装置3452を用いて再合成される。カプラ3460bからドロップされるトラフィックに含まれるドロップ・ストリーム4302は、ゲートウェイ3400aの信号再生エレメント3440と関連したフィルタ3230をλ2を転送しないよう構成することによって、終端される（が、それは再生も波長変換も要するものでないからである）。
【０１８０】
ストリーム4302は、別のトラフィックとともに、ゲートウェイ3400aからADN800h及び800gを通じてゲートウェイ3400cに進む。トラフィック・ストリーム4302はADN800h及び800gによってドロップされるものとして表していないが、それはストリーム4302がこれらのADN行きでないからである。しかしながら、ADN800h及び800gのカプラ860はストリーム4302（、更には、リング3018上のトラフィックの残り）の転送とストリーム4302（、更には、別のトラフィック）のドロップとの両方を行うものとする。ADN800h及び800gに関連したフィルタ266は、上記のように、λ2を取り除くが、それはストリーム4302がこれらのADN行きでないからである。代替的には、波長を受信器268における電気スイッチによって取り除き得る。
【０１８１】
ゲートウェイ3400cに到達すると、ゲートウェイ3400cのカプラ3460aはADN800gからの（ストリーム4302を含む）トラフィックのリング3018上でのドロップと転送との両方を行う。この例の目的で、ストリーム4302は、該ストリームがリング3018の周りで当該点まで進んだ距離によって、再生を要するものとする。したがって、カプラ3460aによって転送されたトラフィックがゲートウェイ3400cの逆多重化装置3454によって逆多重化されると、λ2における逆多重化ストリーム4302はスイッチ3456によって終端される。そのような終端は適切であるがそれはストリーム4302におけるトラフィックが信号再生エレメント3440を用いて再生され、もう一度リング3018にカプラ3460bでアッドされるからである。
【０１８２】
カプラ3460bによってドロップされるトラフィックはリング3018と関連した信号再生エレメント3440aに転送される。ドロップ・トラフィックは複数コピーにスプリッタ3222によって分離され、ストリーム4302はトランスポンダ3232にフィルタ3230によってスルー転送される。ストリーム4302は更に、トランスポンダ3232及び/又はトランスポンダ3234を用いて再生される（上記のように、ストリーム4302をスイッチ3342でドロップし得るか、スイッチ3344でアッドし得るか、改変なしでトランスポンダ3234にパススルーされる。）。図示した実施例における当該点では波長変換は何ら行われるものでない。再生ストリーム4302は更に、合成器3224によって信号再生装置3440にスルー転送される別の信号と合成され、該合成信号は多重化/逆多重化装置3450にスルー転送されるトラフィックにカプラ3460bによってアッドされる。この合成トラフィックはゲートウェイ3400cからADN800fに通信される。
【０１８３】
ストリーム4302は、別のトラフィックとともに、ゲートウェイ3400cからADN800f、800e、800d、及び800cを通じてゲートウェイ3400bに進む。トラフィック4302はADN800f、800e、800d及び800cによってドロップされるものとして表していないが、それはストリーム4302がこれらのADN行きでないからである。しかしながら、ADN800f、800e、800d、及び800cはストリーム4302（、更には、リング3018上のトラフィックの残り）の転送とストリーム4302（、更には、別のトラフィック）のドロップとの両方を行うものとする。ADN800f、800e、800d、及び800cに関連したフィルタ266は、上記のように、λ2を取り除くが、これはストリーム4302がこれらのADN行きでないからである。
【０１８４】
ゲートウェイ3400bに到達すると、ゲートウェイ3400bのカプラ3460aはADN8009からの（ストリーム4302を含む）トラフィックのリング3018上でのドロップと転送との両方を行う。この例の目的で、ストリーム4302はこの点で波長変換を要するが、それはλ2におけるストリーム4302がサブネット4500において進むことがADN800aから発信されるλ2におけるトラフィックとの干渉をもたらすからである。したがって、カプラ3460aによって転送されるトラフィックがゲートウェイ3400bの逆多重化装置3454によって逆多重化されると、λ2における逆多重化ストリーム4302はスイッチ3456によって終端される。
【０１８５】
カプラ3460aによってドロップされるトラフィックはリング3018と関連した信号再生エレメント3440aに転送される。ドロップされたトラフィックはスプリッタ３２２２によって複数コピーに分離され、ストリーム4302はトランスポンダ3232にフィルタ3230によってスルー転送され、フィルタ3230はλ2をトランスポンダ3232に転送することを可能にする。ストリーム4302は更に、トランスポンダ3232を用いて再生され、その波長はトランスポンダ3234によってλ3に変換される（が、上記のように、ストリーム4302はスイッチ3342でドロップし得るものであるか、スイッチ3344でアッドし得るものか、改変なしでトランスポンダ3234にパススルーし得る。）。再生され、波長変換されたストリーム4302’は更に、信号再生エレメント3440に合成器3224によってスルー転送される別の信号と合成され、該合成信号は多重化/逆多重化装置3450にスルー転送されるトラフィックにカプラ3460bによってアッドされる。この合成トラフィックはゲートウェイ3400bからADN800bに通信される。
【０１８６】
ADN800bのカプラ860はストリーム4302’（、更には、リング3018上のトラフィックの残り）の転送とストリーム4302’（、更には、別のトラフィック）のドロップとの両方を行う。ADN800bに関連したフィルタ266の１つはλ3をスルー転送するよう構成されるが、それはストリーム4302’がADN800b行きであるからである。ストリーム4302’は更に、ADN800aまで進み、該ADN800aはストリーム4302’をドロップし、取り除く。ADN800aのカプラ860は更に、ストリーム4320’を転送するが、ストリーム4302’はその場合λ3にあるので、ストリーム4302’がカプラ860でλ2においてADN800aから発信されるストリーム4032と合成される場合、干渉は何ら発生するものでない。ストリーム4302’は更に、ADN800aからゲートウェイ3400aに進む。
【０１８７】
ゲートウェイ3400aのカプラ3460aはADN800bからの（ストリーム4302’を含む）トラフィックのリング3018上でのドロップと転送を行う。転送トラフィックはゲートウェイ3400bの逆多重化装置3454によってその構成波長/チャネルに逆多重化され、この逆多重化トラフィックはストリーム4302’をλ3において含む。逆多重化ストリーム4302’は逆多重化装置3454からその関連スイッチ3456に転送される。スイッチ3456は図示した実施例においてストリーム4302’を終端するよう構成される。そのような終端は適切であるが、それはストリーム4302’におけるトラフィックがADN800b行きであり、ADN800bにはこのトラフィックが既に到達している。カプラ3460aからドロップされるトラフィックにおいて含まれるドロップ・ストリーム4302’は同様に、ゲートウェイ3400aの信号再生エレメント3440bに関連したフィルタ3230を、λ3を転送しないよう、構成することによって終端される。ストリーム4302’はサブネット4400及び4600に入る前に終端されるので、所望される場合、λ3をこれらのサブネットにおいて別のトラフィック用に再利用し得る。
【０１８８】
このようにして、OUSPR保護をネットワーク4000においてゲートウェイ3400及びADN800の構成によって備え得る。この保護は、発信元から行き先までリング3016の周りを時計回りに進むトラフィック・ストリーム4300、及び、リング3018の周りを反時計回りに進む、第１トラフィック・ストリーム4300と同じ情報を含む、トラフィック・ストリーム4302並びに4032’を備えることによって実現される。このように、保護が備えられるが、それは情報が行き先に、リング3016及び/又は3018にブレーク又は別のエラーがあっても到達し得るからである。例えば、リング3016及び3018がADN800aとADN800bとの間で断線状態にある場合、トラフィック・ストリーム4300はADN800bに到達しない。しかしながら、トラフィック・ストリーム4302’はADN800bに到達し、それによってトラフィック保護を備える。ネットワーク4000の別の場所でのブレーク又は別のエラーは同様な方法で処理されるものとする。更に、図20に記載した例示的OUPSRネットワークの実施形態は、2つのサブネットが２つのADN800を有し、１つのサブネットが４つのADN800を有する、３つのサブネットを含むが、何れかの適切な数のADN800、ゲートウェイ3400及びサブネットを用い得る。各ゲートウェイ3400はなお、少なくとも、トラフィックの、終端、光パススルー、再生、又は再生並びに波長変換を、各着信チャネル上でそのトラフィックの発信源及び行き先によって、行うよう構成し得る。更に、単一のゲートウェイ3400を、以下に記載するように、サブネットを何ら有するものでないネットワークにおけるハブADNとして用い得る。
【０１８９】
図２１は光ネットワーク4000の例示的構成の例示的光信号を示すブロック図である。これらの例示的光信号はネットワーク4000のOSPPRネットワークとして実施形態を示す。図２１では、参照を容易にするように、ADN800とゲートウェイ3400との概略レベルの詳細のみを表す。例示的光ネットワーク4000は３つのサブネット4400、4500、及び4600を含む。サブネット4400はADN800g及び800hを含み、サブネット4500はADN800a及び800bを含み、サブネット4600はADN800c、800d、800e及び800fを含む。ゲートウェイ3400aはサブネット4400及び4500を分割し、ゲートウェイ3400bはサブネット4500及び4600を分割し、ゲートウェイ3400cはサブネット4600及び4400を分割する。
【０１９０】
図示した実施例では、いくつかのトラフィック・ストリームを表す。これらのストリームのいくつかは、割り込み可能信号（すなわち保護チャネル・アクセス（PCA）ストリーム）及び保護信号（すなわちワーク信号）を備える。割り込み可能信号は終端されて別の信号に対する保護を備える信号である。保護信号はそれに対して保護が備えられるその信号である。保護ストリームがその行き先ADNに到達できなくなるリング・カット又は別の断続の場合、1つ又は複数の割り込み可能ストリームを終端させて保護トラフィックを割り込みストリームの代わりに送信することが可能にし得る。該断続が修復された後には、ネットワークはその断続前の状態に戻り得る。一実施例では、保護スイッチ可能なトラフィックは割り込み可能トラフィックよりも高優先のトラフィックを備え得る；しかしながら、トラフィック・ストリームの保護部分と割り込み可能部分へ別の方法で分割することは別の実施例において適切であるか望ましいものであることとする。
【０１９１】
次に図21を参照すれば、通常動作中に、保護トラフィック・ストリーム4502、4504、及び4506はサブネット4400、4500、及び4600の各々における時計回りリング3016において送信される。トラフィック・ストリーム4502はADN800aから発信され、ADN800b行きの時計回りストリームであり、トラフィック・ストリーム4504はADN800cから発信され、ゲートウェイ3400c行きの時計回りストリームであり、トラフィック・ストリーム4506はADN800gから発信され、ADN800h行きの時計回りストリームである。図示した実施例では、保護トラフィック・ストリーム4502、4504、及び4506は同じ波長（例えば、λ１）において各サブネットで伝送される。割り込みトラフィック・ストリーム4508及び4510は反時計回りリング3018においてこれもλ１において伝送される。トラフィック・ストリーム4508はADN800gから発信され、ADN800c行きの反時計回りストリームであり、トラフィック・ストリーム4510はADN800bから発信され、ADN800a行きの反時計回りストリームである。ストリーム4508及び4510は保護スイッチング中に断続させて高優先ストリームを保護し得る。
【０１９２】
単一の、例示的な波長におけるトラフィックを示すが、保護トラフィック及び割り込み可能トラフィックはリング3016及び3018における数々の別の波長/チャネルにおいて送信されることとする。更に、保護トラフィックを（別のリング上でではあるが）同じ波長において割り込み可能トラフィックとして伝送するものとして示すが、数々の別の構成を実施し得る。単に例として、ワーク・トラフィックをリング3016上で奇数チャネルにおいて送信し、リング3018上で偶数チャネルにおいて送信し得る。割り込み可能トラフィックはリング3016で偶数チャネルにおいて送信し、リング3018上で奇数チャネルにおいて送信し得る。何れかの別の適切な構成を用い得る。
【０１９３】
保護トラフィック・ストリーム4502は第１波長λ1においてADN800aでリング3016と関連した送信器270を用いて発信される。ストリーム4502は既存の光信号にリング3016上で、リング3016に関連したADN800aのカプラ860を介してアッドされる。ADN800aを出た後、ストリーム4502はリング3016を介してADN800bに進む。ADN800bのカプラ860はストリーム4502を、リング3016上の別のトラフィック全てとともに、ドロップする。受信器268は更に、ストリーム4502を受信し、そのストリームにおける情報を適切な場所に通信するのに用い得る。ストリーム4502は更に、ADN800bのカプラ860によって転送され、ゲートウェイ3400bに進む。
【０１９４】
ゲートウェイ3400bのカプラ3460aはADN800bからの（ストリーム4502を含む）トラフィックのリング3016上でのドロップと転送との両方を行う。転送トラフィックはゲートウェイ3400bの逆多重化装置3454によってその構成波長/チャネルに逆多重化され、該逆多重化トラフィックはストリーム4502をλ1において含む。逆多重化ストリーム4502は逆多重化装置3454からその関連スイッチ3456に転送される。スイッチ3456は図示した実施例においてストリーム4502を終端するよう構成される。そのような終端は適切であるが、それはストリーム4502におけるトラフィックがADN800b行きであるからであり、該ADN800bにはこのトラフィックは既に到達している。カプラ3460aからドロップされるトラフィックに含まれるドロップ・ストリーム4502は同様に、ゲートウェイ3400bの信号再生エレメント3440に関連したフィルタ3230を、λ1を転送しないように構成することによって、終端される。ストリーム4502はサブネット4600及び4400に入る前に終端されるので、λ1はこれらのサブネットにおいてストリーム4504及び4506用に再使用し得る。
【０１９５】
保護トラフィック・ストリーム4504は波長λ1においてADN800cでリング3016に関連した送信器270を用いて発信される。ストリーム4504は既存の光信号にリング3016上でリング3016に関連したADN800cのカプラ860を介してアッドされる。ストリーム4504は、別のトラフィックとともに、ADN800cからADN800d、800e、及び800fを通じてゲートウェイ3400cに進む。トラフィック・ストリーム4504はADN800d、800e、又は800fによってドロップされるものとして表していないが、それはストリーム4504がそれらのADN行きでないからである。しかしながら、ADN800d、800e、及び800fのカプラ860はストリーム4504を（リング3016上のトラフィックの残りとともに）転送し、ストリーム4504を（別のトラフィックとともに）ドロップする。ADN800d、800e、及び800fに関連したフィルタ266はλ1を取り除くが、それはストリーム4504がそれらのADN行きでないからである。
【０１９６】
ゲートウェイ3400cに到達すると、ゲートウェイ3400cのカプラ3460aはADN800fからの（ストリーム4504を含む）トラフィックのリング3016上でのドロップと転送とを行う。ストリーム4504はゲートウェイ3400c行きである（この例では、ゲートウェイ3400cは、上記のように、ADNの構成部分を含む。）ので、カプラ3460aによって転送されるトラフィックがゲートウェイ3400cの逆多重化装置3454によって逆多重化されると、λ1における逆多重化ストリーム4504はスイッチ3456によって終端される。カプラ3460aによってドロップされるトラフィックは受信器3232に（例えば、分配/合成エレメント3222及びフィルタ3230を介して）転送され、該受信器は更に、ストリーム4504を受信し、そのストリームにおける内容を適切な場所（例えば、ゲートウェイ3400cに結合されたクライアント）に通信するのに用い得る。
【０１９７】
保護トラフィック・ストリーム4506は波長λ1においてADN800gでリング3016と関連した送信器270を用いて発信される。ストリーム4506は既存の光信号にリング3016上でリング3016に関連したADN800gのカプラ860を介してアッドされる。ADN800gを出た後、ストリーム4506はリング3016を介してADN800hに進む。ADN800hのカプラ860はストリーム4506を、リング3016上の別のトラフィック全てとともに、ドロップする。受信器268は更に、ストリーム4506を受信し、そのストリームにおける内容をADN800hの適切なクライアントに通信するのに用い得る。ストリーム4506は更に、ADN800hのカプラ860によって転送され、ゲートウェイ3400aに進む。
【０１９８】
ゲートウェイ3400aのカプラ3460aはADN800hからの（ストリーム4506を含む）トラフィックのリング3016上でのドロップと転送との両方を行う。転送トラフィックはゲートウェイ3400aの逆多重化装置3454によってその構成波長/チャネルに逆多重化され、該逆多重化トラフィックはストリーム4506をλ1において含む。逆多重化ストリーム4506は逆多重化装置3454からその関連スイッチ3456に転送される。スイッチ3456は図示した実施例ではストリーム4506を終端するよう構成される。そのような終端は適切であるが、それはストリーム4506におけるトラフィックがADN800h行きであるからであり、ADN800hにはそのトラフィックは既に到達している。カプラ3460aからドロップされるトラフィックに含まれるドロップ・ストリーム4506は同様に、ゲートウェイ3400aの信号再生エレメント3440に関連したフィルタ3230を、λ1を転送しないよう、構成することによって、終端される。ストリーム4506はサブネット4500及び4600に入る前に終端されるので、λ1をこれらのサブネットにおいてストリーム4502及び4504用に用い得る。
【０１９９】
割り込み可能トラフィック・ストリーム4508は第１波長λ1においてADN800gでリング3018に関連した送信器270を用いて発信される。ストリーム4508は既存光信号にリング3018上でリング3018と関連したADN800gのカプラ860を介してアッドされる。ADN800gを出た後、ストリーム4508はリング3018を介してゲートウェイ3400cに進む。
【０２００】
ゲートウェイ3400cのカプラ3460aはADN800gからの（ストリーム4508を含む）トラフィックのリング3018上でのドロップと転送との両方を行う。転送トラフィックはゲートウェイ3400cの逆多重化装置3454によってその構成波長/チャネルに逆多重化され、該逆多重化トラフィックはストリーム4508を含む。逆多重化ストリーム4508は逆多重化装置3454からその関連スイッチ3456に転送され、該スイッチではスルー転送される。そのような転送は適切であるが、それはストリーム4508におけるトラフィックが、そこにはこのトラフィックはまだ到達していないそのADN800c行きであるからであり、ストリーム4508は再生を要するものでない（再生は、必要な場合、行い得る）とみなされるからである。転送ストリーム4508は別の逆多重化トラフィックと多重化装置3452を用いて再合成される。カプラ3460aからドロップされるトラフィックに含まれるドロップ・ストリーム4508は信号再生エレメント3440で取り除かれる。
【０２０１】
ストリーム4508は、別のトラフィックとともに、ゲートウェイ3400cからADN800f、800e、及び800dを通じてADN800cに進む。ADN800cのカプラ860はストリーム4508を、リング3018上の別のトラフィック全てとともにドロップする。受信器268は更に、ストリーム4508を受信し、そのストリームにおける情報を適切な場所に通信するのに用い得る。ストリーム4508は更に、ADN800cのカプラ860によって転送され、ゲートウェイ3400bに進み、該ストリームは該ゲートウェイで（当該行き先に達したので）終端される。
【０２０２】
割り込み可能トラフィック・ストリーム4510は波長λ1においてADN800bでリング3018と関連した送信器270を用いて発信される。ストリーム4510は既存の光信号にリング3018上でリング3018に関連したADN800bのカプラ860を介してアッドされる。ADN800bを出た後、ストリーム4510はリング3018を介してADN800aに進む。ADN800aのカプラ860はストリーム4510を、リング3018上の別のトラフィック全てとともに、ドロップする。受信器268は更に、ストリーム4510を受信し、そのストリームにおける情報を適切なクライアントに通信するのに用い得る。ストリーム4510は更に、ADN800aのカプラ860によって転送され、ゲートウェイ3400aに進み、該ゲートウェイで該ストリームは（当該行き先に到達したので）終端される。このようにして、ゲートウェイ3400を用いてサブネットを備えることによって、リング3016及び3018を用いて別々の情報を別々のサブネットにおいて同じ波長を用いて通信し得る。更に、このトラフィック（上記例では、リング3018上のトラフィック）の一部は割り込み可能であるものとみなされるため、OSPPR保護をリング3016及び/又はリング3018における故障の場合に実施し得る。
【０２０３】
本発明はいくつかの実施例によって記載したが、多くの変更、置換、変形、改変、及び修正を当業者に示唆し得るものであり、それは本発明が本特許請求の範囲記載の趣旨及び範囲に収まる全てのそのような変更、置換、変形、改変、及び修正を包含することを意図するからである。
（付記１）  第１光ファイバ・リングと第２光ファイバ・リングとを用いて結合される複数のパッシブ・アッド/ドロップ・ノードを備えるツイン・リング光ネットワークを運用中にアップグレードする方法であって：
第１方向に該第１光ファイバ・リング上を進む光トラフィックを、第１パッシブ・アッド/ドロップ・ノードと第２パッシブ・アッド/ドロップ・ノードとの間の第１断続位置で、断続させる工程；
を備え；
前記複数のアッド/ドロップ・ノードは該第１と第２の光ファイバ・リングに結合されて、該光ファイバ・リングとの間でのトラフィックのアッドとドロップとを受動的に行い；
更に、第２の本質的に異なる方向に該第２光ファイバ・リング上を進む光トラフィックを、該第１アッド/ドロップ・ノードと該第２アッド/ドロップ・ノードとの間の第２断続位置で、断続させる工程；
を備え；
該第１断続位置と該第２断続位置はお互いに近接し；
該ネットワークは保護スイッチングを、トラフィック・フローを該第１断続位置又は該第２断続位置で断続させることが、該リング光ネットワーク上のトラフィックが何れかのアッド/ドロップ・ノードに到達することを妨げるものでないように、備え；
更に、光ゲートウェイ・ノードを該ネットワークに挿入する工程；
を備え；
該ゲートウェイ・ノードは：
該第１光ファイバ・リングと関連した第１トランスポート・エレメント；及び
該第２光ファイバ・リングと関連した第２トランスポート・エレメント；
を備え；
該第１と第２のトランスポート・エレメントの各々は：
入口トラフィックを複数の構成波長に逆多重化するよう動作可能な逆多重化装置；
該複数構成波長の各々を選択的に転送するか終端するよう動作可能なスイッチ；及び
該転送波長を多重化するよう動作可能な多重化装置；
を備え；
該ゲートウェイ・ノードは該リング光ネットワークに、該第１トランスポート・エレメントが該第１断続位置で挿入され、該第２トランスポート・エレメントが該第２断続位置で挿入されることを特徴とする方法。
（付記２）  更に複数の光ゲートウェイ・ノードを該ネットワークに挿入して複数のサブネットを生成する工程を備え、各サブネットが複数のアッド/ドロップ・ノードを備え、該複数のサブネットの数が該ネットワークにおけるゲートウェイの数に等しいことを特徴とする付記１記載の方法。
（付記３）  各ゲートウェイ・ノードが該光リングに、隣接するサブネット間の境界で、結合され、かつ、波長のサブネット間での転送と終端とを選択的に行って、保護スイッチングを備えるよう該サブネットにおける波長再使用を可能にするよう動作可能であることを特徴とする付記２記載の方法。
（付記４）  各サブネットが該光ネットワークに実質的に等しい波長チャネル容量を有することを特徴とする付記２記載の方法。
（付記５）  該逆多重化装置と該多重化装置とがアレイ導波管を備えることを特徴とする付記１記載の方法。
（付記６）  該スイッチがチャネル毎に２ｘ２のスイッチを備え、該２ｘ２のスイッチが、該チャネルのアッド、転送、又はドロップを選択的に行うよう動作可能であることを特徴とする付記１記載の方法。
（付記７）  該アッド/ドロップ・ノードは実質的に同じトラフィックを該第１光ファイバ・リングと該第２光ファイバ・リングとの各々によって伝送するよう動作可能であることを特徴とする付記１記載の方法。
（付記８）  各アッド/ドロップ・ノードが：
該第１光リングに結合されるよう動作可能な第１トランスポート・エレメントと該第２光リングに結合されるよう動作可能な第２トランスポート・エレメントとを備え；
該第１と第２のトランスポート・エレメント各々が、第１光カプラ、第２光カプラ、並びにリング・スイッチを備え；
更に、入口トラフィックを該光リング上で受信し、該入口トラフィックの第１と第２のコピーを転送するよう動作可能な該第１光カプラを備え；
該第２コピーは局所ドロップ・トラフィックを備え；
更に、該転送第１コピーと局所アッド・トラフィックとを受信するよう動作可能であり、更に、該第１コピーと該局所アッド・トラフィックとを受動的に合成して出口信号を生成するよう動作可能な該第２光カプラ；
各トランスポート・エレメントの該第１光カプラに結合され、該第２コピーを該アッド/ドロップ・ノードの1つ又は複数の適切なクライアントに転送するよう動作可能な分配エレメント；及び
各トランスポート・エレメントの該第２光カプラに結合され、かつ、該局所アッド・トラフィックを該クライアントから受信し、該局所アッド・トラフィックを各トランスポート・エレメントの該第２光カプラに転送するよう動作可能な合成エレメント；
を備えることを特徴とする付記１記載の方法。
（付記９）  該分配エレメントが：
該第１光カプラからの該転送第２コピーの複数コピーを作成するよう動作可能なスプリッタ；及び
1つ又は複数のフィルタ；
を備え；
該フィルタの各々は該第２コピーの該複数コピーの１つを受信し、該関連したコピーの1つ又は複数の波長を転送するよう動作可能であり；
更に、各フィルタ化波長を該1つ又は複数のフィルタから受信するよう動作可能な1つ又は複数の光受信器；
を備えることを特徴とする付記８記載の方法。
（付記１０）  該分配エレメントが：
各トランスポート・エレメントの該第１光カプラに結合され、かつ、各トランスポート・エレメントからの該入口トラフィックの該第２コピーを増幅するよう動作可能な増幅器；
各トランスポート・エレメントの該第１光カプラに結合され、かつ、各トランスポート・エレメントの該第１光カプラからの該転送第２コピーの複数コピーを作成するよう動作可能なスプリッタ；及び
各トランスポート・エレメントの該第１光カプラに結合された1つ又は複数のスイッチ；
を備え；
各スイッチは各第２コピーのコピーを該スプリッタから受信し、該第２コピーのコピーを該第１トランスポート・エレメントと該第２トランスポート・エレメントとの何れかから該アッド/ドロップ・ノードの該クライアントに選択的に転送するよう動作可能であり；
更に、1つ又は複数のフィルタ；
を備え；
該フィルタ各々は該第２コピーの該複数コピーのうちの１つを受信し、該関連したコピーの1つ又は複数の波長を転送するよう動作可能であり；
更に、各フィルタ化波長を該1つ又は複数のフィルタから受信する1つ又は複数の受信器；
を備えることを特徴とする付記８記載の方法。
（付記１１）  該合成エレメントが：
該受信局所トラフィックを各トランスポート・エレメントの該第２光カプラに転送するよう動作可能な1つ又は複数の光送出器；
該局所トラフィックを合成し、該合成局所トラフィックを各トランスポート・エレメントの該第２光カプラに転送するよう動作可能なスプリッタ；及び
各トランスポート・エレメントの該第２光カプラに結合され、該合成局所トラフィックを増幅するよう動作可能な増幅器；
を備えることを特徴とする付記８記載の方法。
（付記１２）  該合成エレメントが：
該受信局所トラフィックを各トランスポート・エレメントの該第２光カプラに転送するよう動作可能な1つ又は複数の光送出器；及び
各トランスポート・エレメントの該第２光カプラに結合される1つ又は複数のスイッチ；
を備え；
各スイッチは該局所トラフィックを受信し、該局所トラフィックを該第１トランスポート・エレメントと該第２トランスポート・エレメントとの何れかに該アッド/ドロップ・ノードの該クライアントから選択的に転送し；
更に該局所トラフィックを合成し、該合成局所トラフィックを各トランスポート・エレメントの該第２光カプラに転送するよう動作可能なスプリッタ；及び
各トランスポート・エレメントの該第２光カプラに結合され、該アッド/ドロップ・ノードからの該クライアントから受信される該局所トラフィックを増幅するよう動作可能な増幅器；
を備えることを特徴とする付記８記載の方法。
（付記１３）  第１光ファイバ・リングと第２光ファイバ・リングとを用いて結合される複数のパッシブ・アッド/ドロップ・ノードを備えるツイン・リング光ネットワークを運用中にアップグレードする方法であって：
第１方向に該第１光ファイバ・リング上を進む光トラフィックを、第１パッシブ・アッド/ドロップ・ノードと第２パッシブ・アッド/ドロップ・ノードとの間の第１断続位置で、断続させる工程；
を備え；
前記複数のアッド/ドロップ・ノードは該第１と第２の光ファイバ・リングに結合されて、該光ファイバ・リングとの間でのトラフィックのアッドとドロップとを受動的に行い；
更に、第２の本質的に異なる方向に該第２光ファイバ・リング上を進む光トラフィックを、該第１アッド/ドロップ・ノードと該第２アッド/ドロップ・ノードとの間の第２断続位置で、断続させる工程；
を備え；
該第１断続位置と該第２断続位置はお互いに近接し；
該リング光ネットワークは保護スイッチングを、トラフィック・フローを該第１断続位置又は該第２断続位置で断続させることが、該リング光ネットワーク上のトラフィックが何れかのアッド/ドロップ・ノードに到達することを妨げるものでないように、備え；
更に、光ゲートウェイ・ノードを該リング光ネットワークに挿入する工程；
を備え；
該ゲートウェイ・ノードは：
該第１光ファイバ・リングと関連した第１トランスポート・エレメント；
該第２光ファイバ・リングと関連した第２トランスポート・エレメント；
該光リング上の入口トラフィックを受信し、該入口トラフィックの第１と第２のコピーを転送するよう動作可能な第１光カプラ；及び
該入口トラフィックの該第１コピーを該第１光カプラから受信するよう動作可能な多重化/逆多重化装置；
を備え；
該多重化/逆多重化装置は：
該入口トラフィックの該第１コピーを複数の構成波長に逆多重化するよう動作可能な逆多重化装置；
該複数構成波長の各々を選択的に転送するか終端するよう動作可能なスイッチ；及び
該転送波長を多重化するよう動作可能な多重化装置；
を備え；
該ゲートウェイ・ノードは更に：
該入口トラフィックの該第２コピーを該第１光カプラから受信し、信号を該入口トラフィックの1つ又は複数の構成波長において選択的に再生するよう動作可能な信号再生エレメント；及び
第２光カプラ；
を備え；
該第２光カプラは：
該再生信号を1つ又は複数の波長で受信する工程；
該多重化転送波長を該多重化装置から受信する工程；及び
該多重化転送波長を、該信号再生エレメントから受信される該再生波長と合成して、該合成信号が該光リング上で転送されるようにする工程；
を行い；
該ゲートウェイ・ノードは該リング光ネットワークに、該第１トランスポート・エレメントが該第１断続位置で挿入され、該第２トランスポート・エレメントが該第２断続位置で挿入される
ことを特徴とする方法。
（付記１４）  該信号再生エレメントが更に、該再生信号の1つ又は複数の該波長を変換
するよう動作可能なことを特徴とする付記１３記載の方法。
（付記１５）  該信号再生エレメントが：
該第１光カプラから受信される該第２コピーの複数コピーを作成するよう動作可能なスプリッタ；及び
1つ又は複数のフィルタ；
を備え；
該フィルタの各々は該第２コピーの該複数コピーの１つを受信し、該関連したコピーの1つ又は複数の波長を転送するよう動作可能であり；
更に、各フィルタ化波長を該1つ又は複数のフィルタから受信し、該信号を該波長において再生するよう動作可能な1つ又は複数のトランスポンダ；及び
該再生信号を受信して合成し、かつ、該合成信号を該第２光カプラに転送するよう動作可能な合成器；
を備えることを特徴とする付記１３記載の方法。
（付記１６）  該トランスポンダの1つ又は複数が更に、該トランスポンダで受信されるフィルタ化波長に関連した該信号の該波長に変換するよう動作可能であることを特徴とする付記１５記載の方法。
（付記１７）  該信号再生エレメントによって再生される各波長が該多重化/逆多重化装置によって終端されることを特徴とする付記１３記載の方法。
（付記１８）  該信号再生エレメントは更に、該入口トラフィックの該第２コピーの1つ又は複数の波長における該信号を該光ゲートウェイ・ノードの1つ又は複数の適切なクライアントにドロップするよう動作可能であることを特徴とする付記１３記載の方法。
（付記１９）  該信号再生エレメントは更に、アッド・トラフィックを該光ゲートウェイ・ノードの1つ又は複数の適切なクライアントから受信するよう動作可能であることを特徴とする付記１３記載の方法。
（付記２０）  該第２光カプラは更に：
アッド・トラフィックを該光ゲートウェイ・ノードの1つ又は複数のクライアントから受信する工程；及び
該アッド・トラフィックを、該多重化転送波長及び、該信号再生エレメントから受信される該再生波長、と合成して該合成信号が該光リング上で転送されるようにする工程；
を行うよう動作可能であることを特徴とする付記１３記載の方法。
（付記２１）  各アッド/ドロップ・ノードは、トラフィックのアッドとドロップとを、該トラフィックの該チャネル間隔に無関係に、行うよう動作可能であることを特徴とする付記１３記載の方法。
（付記２２）  該第１トランスポート・エレメントと該第２トランスポート・エレメントとの各々は、トラフィックのアッドとドロップとを受動的に行うよう動作可能な単一の光カプラを備えることを特徴とする付記１３記載の方法。
（付記２３）  第１光ファイバ・リングと第２光ファイバ・リングとを用いて結合される複数のパッシブ・アッド/ドロップ・ノードを備えるツイン・リング光ネットワークを運用中にアップグレードする方法であって：
該第１光ファイバ・リング上のトラフィック・フローを、第１パッシブ・アッド/ドロップ・ノードと第２パッシブ・アッド/ドロップ・ノードとの間の第１断続位置で、断続させる工程；
を備え；
前記複数のアッド/ドロップ・ノードは該第１と第２の光ファイバ・リングに結合されて、該光ファイバ・リングとの間でのトラフィックのアッドとドロップとを受動的に行い；
更に、該第２光ファイバ・リング上のトラフィック・フローを、該第１アッド/ドロップ・ノードと該第２アッド/ドロップ・ノードとの間の第２断続位置で、断続させる工程；
を備え；
該第１断続位置と該第２断続位置はお互いに近接し；
該リング光ネットワークは保護スイッチングを、トラフィック・フローを該第１断続位置又は該第２断続位置で断続させることが、該リング光ネットワーク上のトラフィックが何れかのアッド/ドロップ・ノードに到達することを妨げるものでないように、備え；
更に、光ゲートウェイ・ノードを該リング光ネットワークに挿入する工程；
を備え；
該ゲートウェイ・ノードは：
該第１光ファイバ・リングと関連した第１トランスポート・エレメント；及び
該第２光ファイバ・リングと関連した第２トランスポート・エレメント；
を備え；
該ゲートウェイは該リング光ネットワークに、該第１トランスポート・エレメントが該第１断続位置で挿入され、該第２トランスポート・エレメントが該第２断続位置で挿入される
ことを特徴とする方法。
（付記２４）  更に複数の光ゲートウェイ・ノードを該ネットワークに挿入して複数のサブネットを生成する工程を備え、各サブネットが複数の該アッド/ドロップ・ノードを備え、該複数のサブネットの数が該ネットワークにおけるゲートウェイの数に等しいことを特徴とする付記２３記載の方法。
（付記２５）  各ゲートウェイ・ノードが該光リングに、隣接するサブネット間の境界で、結合され、波長のサブネット間で、通過させることと終端することとを選択的に行って、保護スイッチングを備えるよう該サブネットにおける波長再使用を可能にするよう動作可能であることを特徴とする付記２４記載の方法。
（付記２６）  各サブネットが該光ネットワークに実質的に等しい波長チャネル容量を有することを特徴とする付記２４記載の方法。
（付記２７）  該ゲートウェイ・ノードが：
入口トラフィックを複数構成波長に逆多重化するよう動作可能な逆多重化装置；
各波長の転送又は終端を選択的に行うよう動作可能なスイッチ；及び
該転送波長を多重化するよう動作可能な多重化装置；
を備えることを特徴とする付記２３記載の方法。
（付記２８）  該逆多重化装置と該多重化装置とがアレイ導波管を備えることを特徴とする付記２７記載の方法。
（付記２９）  該スイッチがチャネル毎に２ｘ２のスイッチを備え、該２ｘ２のスイッチが、該チャネルのアッド、転送、又はドロップを選択的に行うよう動作可能であることを特徴とする付記２７記載の方法。
（付記３０）  該アッド/ドロップ・ノードは実質的に同じトラフィックを該第１光ファイバ・リングと該第２光ファイバ・リングとの各々によって伝送するよう動作可能であることを特徴とする付記２３記載の方法。
【図面の簡単な説明】
【０２０４】
【図１】例示的光ネットワークを示すブロック図である。
【図２】図１の光ネットワークのアッド/ドロップ・ノード(ADN)の細部を示すブロック図である。
【図３】光ネットワークを図２のADNの概略レベルの細部とともに示す図である。
【図４】図２のADNを有する図１のネットワークの保護スイッチングとライトパス保護とを示す流れ図である。
【図５】別の例示的光ネットワークを示すブロック図である。
【図６】図５の光ネットワークの光波長再利用ゲートウェイの細部を示すブロック図である。
【図７Ａ】図５の光ネットワークのゲートウェイのエレメントを示すブロック図である。
【図７Ｂ】図５の光ネットワークのゲートウェイのエレメントを示す別のブロック図である。
【図８】図５の光ネットワークの光信号のライトパスを示す流れ図である。
【図９】図８のワーキング・ライトパスの保護スイッチングとライトパス保護とを示す流れ図である。
【図１０】別の例示的光ネットワークを示すブロック図である。
【図１１】図１０の光ネットワークの別の例示的ADNの細部を示すブロック図である。
【図１２】図１１のADNと図６のゲートウェイとを含む光ネットワークを示すブロック図である。
【図１３】図１２の光ネットワークの光信号のライトパスを示すブロック図である。
【図１４】図１２の光ネットワークにおける保護スイッチングとライトパス保護とを示すブロック図である。
【図１５】別の例示的ADNの細部を示すブロック図である。
【図１６】別の例示的光ネットワーク・ゲートウェイの細部を示すブロック図である。
【図１７】図１５のADNと図１６のゲートウェイを組み入れた光ネットワークを示すブロック図である。
【図１８】図１７の光ネットワークの光信号の例示的ライトパスを示すブロック図である。
【図１９】図１７の光ネットワークにおける例示的な保護スイッチングとライトパス保護とを示すブロック図である。
【図２０】図１７の光ネットワークの光信号のライトパスの別の例を示すブロック図である。
【図２１】図１７の光ネットワークの光信号のライトパスの別の例を示すブロック図である。
【符号の説明】
【０２０５】
10  ネットワーク
14  リング
16  リング
18  リング
20  ネットワーク
70  スプリッタ
70a  カプラ
70b  カプラ
70c  カプラ
70d  カプラ
90  スプリッタ
91  スプリッタ
201a  アッド/ドロップ・ノード（ADN）
201b  アッド/ドロップ・ノード（ADN）
201c  アッド/ドロップ・ノード（ADN）
201d  アッド/ドロップ・ノード（ADN）
214  スイッチ
214a  スイッチ
214b  スイッチ
215  増幅器
215a  増幅器
215b  増幅器
216  フィルタ
216a  フィルタ
216b  フィルタ
220  エレメント
222  エレメント
224  エレメント
226  エレメント
228  エレメント
230  コネクタ
235  セグメント
245  セグメント
248  コネクタ
250  コネクタ
252  コネクタ
254  コネクタ
256  コネクタ
258  コネクタ
266  フィルタ
268  受信器
270  送出器
272  送出器
274  インタフェース
276  受信器
278  受信器
280  インタフェース
281  送出器
282  セグメント
284  セグメント
286  セグメント
288  セグメント
290  エレメント管理システム（EMS）
292  ネットワーク管理システム（NMS）
294  フィルタ
296  フィルタ
298  フィルタ
300  フィルタ
302  セグメント/導線
304  セグメント/導線
306  セグメント/導線
308  セグメント/導線
314  導線
326  増幅器
328  増幅器
500  トラフィック・チャネル
502  パス
504  パス
510  リング・カット
512  信号
514  パス
516  パス
550  エレメント
552  合成器
554  合成器
556  スプリッタ
558  スプリッタ
560  スイッチ
562  導線
564  導線
600  ADN
600a  ADN
600b  ADN
600c  ADN
600d  ADN
600e  ADN
600f  ADN
610  増幅器
620  増幅器
650  エレメント
652  分配器
654  分配器
656  スプリッタ
658  スプリッタ
660  スイッチ
662  導線
664  導線
800  ADN
800a  ADN
800b  ADN
800c  ADN
800d  ADN
800e  ADN
800f  ADN
800g  ADN
800h  ADN
812  受信器
842  セグメント
844  セグメント
846  セグメント
848  セグメント
850  セグメント
850a  エレメント
850b  エレメント
852  セグメント
854  セグメント
856  セグメント
860  カプラ
880a  エレメント
880b  エレメント
882  スプリッタ
884  合成器
886  導線
888  導線
1000  ネットワーク
1200  サブネット
1266  パス
1268  パス
1270  パス
1272  パス
1274  リング・カット
1300  サブネット
1400  ゲートウェイ
1400a  ゲートウェイ
1400b  ゲートウェイ
1400c  ゲートウェイ
1420  エレメント/セグメント
1422  エレメント/セグメント
1450  多重化/逆多重化装置
1452  多重化装置
1454  逆多重化装置
1456  スイッチ
1457  アンプ
1460  多重化/逆多重化装置
1461  スイッチ
1462  可変光減衰器（VOA）
1463  スプリッタ
1464  コントローラ
1465  光検出器
1470  装置
1474  フィルタ
1476  フィルタ
1478  アンプ
1480  装置
1482  受信器
1484  スイッチ
1485  送信器
1486  フィルタ
1490  セグメント
1492  セグメント
1494  セグメント
1496  セグメント
2000  ネットワーク
2100  サブネット
2200  サブネット
2300  サブネット
2560  リング・カット
2750  ストリーム
2752  ストリーム
2754  ストリーム
2756  ストリーム
3000  ネットワーク
3014  リング
3016  リング
3018  リング
3150  セグメント
3152  セグメント
3154  セグメント
3156  セグメント
3222  スプリッタ
3224  合成器
3226  導線
3228  導線
3230  フィルタ
3232  トランスポンダ
3234  トランスポンダ
3242  スイッチ/セグメント
3244  スイッチ/セグメント
3246  矢印/セグメント
3248  矢印/セグメント
3342  スイッチ
3344  スイッチ
3346  信号
3348  信号
3400  ゲートウェイ
3400a  ゲートウェイ
3400b  ゲートウェイ
3400c  ゲートウェイ
3420a  エレメント
3420b  エレメント
3440  エレメント
3450  多重化/逆多重化装置、ゲートウェイ
3452  多重化装置
3454  逆多重化装置
3456  スイッチ
3460  カプラ
3460a  カプラ
3460b  カプラ
3464  増幅器
3464a  アンプ
3464b  アンプ
3466  フィルタ
3466a  フィルタ
3466b  フィルタ
3520  ストリーム
3522  ストリーム
3522’  ストリーム
3590  リング・カット
4000  ネットワーク
4300  ストリーム
4302  ストリーム
4302’  ストリーム
4400  サブネット
4500  サブネット
4502  ストリーム
4504  ストリーム
4506  ストリーム
4508  ストリーム
4510  ストリーム
4600  サブネット
A  スパン
B  スパン
C  スパン
D  スパン
【図１】
2005229610.tif 000003
【図２】
2005229610.tif 000004
【図３】
2005229610.tif 000005
【図４】
2005229610.tif 000006
【図５】
2005229610.tif 000007
【図６】
2005229610.tif 000008
【図７Ａ】
2005229610.tif 000009
【図７Ｂ】
2005229610.tif 000010
【図８】
2005229610.tif 000011
【図９】
2005229610.tif 000012
【図１０】
2005229610.tif 000013
【図１１】
2005229610.tif 000014
【図１２】
2005229610.tif 000015
【図１３】
2005229610.tif 000016
【図１４】
2005229610.tif 000017
【図１５】
2005229610.tif 000018
【図１６】
2005229610.tif 000019
【図１７】
2005229610.tif 000020
【図１８】
2005229610.tif 000021
【図１９】
2005229610.tif 000022
【図２０】
2005229610.tif 000023
【図２１】
2005229610.tif 000024